(57)【要約】  ＶＮＦライフサイクル管理によって利用される管理対象オブジェクトを、自動的に作成し、変更し、削除する装置、システム、及び方法が、開示されるとともに、権利請求される。他の実例が、同様に、開示されるとともに、権利請求される。
2018530183.tif 000002
【特許請求の範囲】
【請求項１】
ネットワーク機能仮想化（ＮＦＶ）ライフサイクル管理（ＬＣＭ）動作を促進するように動作可能なネットワーク機能仮想化オーケストレータ（ＮＦＶＯ）であって、当該ＮＦＶＯが、
ネットワークマネージャ（ＮＭ）からライフサイクル管理コマンド（ＬＣＭＣ）を受信してＬＣＭ動作を開始し、
前記ＬＣＭＣに応答して、ＬＣＭ状態テーブルに少なくとも部分的に基づいて実行されるべきＬＣＭ動作を決定し、
前記ＬＣＭ動作の実行後に移行するべきＬＣＭ状態を決定し、
１つ若しくは複数の仮想化ネットワーク機能（ＶＮＦ）ソフトウェアイメージを、ＮＦＶインフラストラクチャ（ＮＦＶＩ）にアップロードするか、又はＮＦＶインフラストラクチャ（ＮＦＶＩ）から削除し、そして
ＮＦＶＩにおいて、１つ若しくは複数の仮想マシン（ＶＭ）及び関連するネットワーキングリソースを作成するか又は削除する
ように、仮想化インフラストラクチャマネージャ（ＶＩＭ）に要求を送信し、
所与のＶＮＦインスタンスに関する１つ若しくは複数の仮想化リソースの成功した割り当て又は削除の後で、前記ＶＩＭから確認応答を受信し、
前記ＬＣＭ動作が完了した後で、前記ネットワークマネージャ（ＮＭ）に、前記ＮＭが１つ又は複数の構成管理（ＣＭ）動作を実行することを可能にする確認応答を送信する処理回路を備える、ＮＦＶＯ。
【請求項２】
前記ＬＣＭＣが、オンボードＶＮＦパッケージ、無効ＶＮＦパッケージ、有効ＶＮＦパッケージ、更新ＶＮＦパッケージ、クエリＶＮＦパッケージ、削除ＶＮＦパッケージ、ＶＮＦインスタンス化、ＶＮＦ終了、又はＶＮＦスケーリングのうちの少なくとも１つを含む、請求項１に記載のＮＦＶＯ。
【請求項３】
前記ＬＣＭ状態が、ＶＮＦパッケージ無効状態、ＶＮＦパッケージ有効状態、又はＶＮＦパッケージ削除保留状態のうちの少なくとも１つを含む、請求項１に記載のＮＦＶＯ。
【請求項４】
ＶＮＦパッケージがまだオンボードされていない場合に、前記処理回路が、
１つ又は複数の前記ＶＮＦソフトウェアイメージを含むオンボードＶＮＦパッケージコマンドをＮＭから受信し、
前記ＶＮＦパッケージに応答して、１つ又は複数の前記ＶＮＦソフトウェアイメージをＮＦＶＩにアップロードするように、ＶＩＭに要求し、
ＮＦＶＩに対する１つ又は複数の前記ＶＮＦソフトウェアイメージのアップロードの後で、ＭａｎａｇｅｄＥｌｅｍｅｎｔオブジェクトを作成するように前記ＮＭがエレメントマネージャ（ＥＭ）に要求することを可能にする確認応答を、ＮＭに送信し、
前記ＬＣＭ状態を前記ＶＮＦパッケージ無効状態に変更する
ように当該ＮＦＶＯを設定する、請求項３に記載のＮＦＶＯ。
【請求項５】
前記ＬＣＭが前記ＶＮＦパッケージ無効状態にある場合に、前記処理回路が、
前記ＮＭから有効ＶＮＦパッケージコマンドを受信し、
カタログにおける有効にされた前記ＶＮＦパッケージに印を付け、
前記ＮＭに確認応答を送信して前記ＶＮＦパッケージが有効であることを示し、
前記ＬＣＭ状態を前記ＶＮＦパッケージ有効状態に変更する
ように当該ＮＦＶＯを設定する、請求項４に記載のＮＦＶＯ。
【請求項６】
前記ＬＣＭが前記ＶＮＦパッケージ有効状態にある場合に、前記処理回路が、
ＮＭからＶＮＦインスタンス化コマンドを受信し、
ＮＦＶＩにおいて、仮想マシン（ＶＭ）及び関連するネットワーキングリソースを作成して開始するように、ＶＩＭに要求し、
ＶＮＦインスタンスＩＤによって識別されるＶＮＦインスタンスの成功したインスタンス化の後で、前記ＭａｎａｇｅｄＥｌｅｍｅｎｔオブジェクトの中に名前が含まれているＶＮＦオブジェクトを作成し、前記ＶＮＦオブジェクトにおける属性を前記ＶＮＦインスタンスＩＤに初期化するように前記ＮＭが前記エレメントマネージャ（ＥＭ）に要求することを可能にする確認応答を、ＮＭに送信する
ように当該ＮＦＶＯを設定する、請求項４に記載のＮＦＶＯ。
【請求項７】
前記ＬＣＭが前記ＶＮＦパッケージ有効状態にある場合に、前記処理回路が、
前記ＮＭからＶＮＦ終了コマンドを受信して、前記ＶＮＦインスタンスＩＤによって識別される既存のＶＮＦインスタンスを終了し、
前記ＮＦＶＩにおいて、１つ又は複数の仮想マシン（ＶＭ）及び関連するネットワーキングリソースを削除するように、前記ＶＩＭに要求し、
成功したＶＮＦの終了後に、前記ＶＮＦを削除するように前記ＮＭがエレメントマネージャ（ＥＭ）に要求することを可能にすることになる確認応答を、前記ＮＭに送信する
ように当該ＮＦＶＯを設定する、請求項３に記載のＮＦＶＯ。
【請求項８】
前記ＬＣＭが前記ＶＮＦパッケージ有効状態にあり、前記処理回路が、
ＮＭから無効ＶＮＦパッケージコマンドを受信し、
カタログにおける無効にされたＶＮＦパッケージに印を付け、
ＮＭに確認応答を送信して前記ＶＮＦパッケージが無効であることを示し、
前記ＬＣＭ状態をＶＮＦパッケージ無効状態に変更する
ように当該ＮＦＶＯを設定する、請求項３に記載のＮＦＶＯ。
【請求項９】
前記ＬＣＭが前記ＶＮＦパッケージ無効状態にあるとともに、前記ＶＮＦパッケージがあらゆるＶＮＦインスタンスによって使用されていない場合に、前記処理回路が、
ＮＭから削除ＶＮＦパッケージコマンドを受信し、
カタログにおける前記ＶＮＦパッケージを削除し、
ＮＦＶＩにおいて、１つ又は複数の前記ＶＮＦソフトウェアイメージを削除するように、前記ＶＩＭに要求を送信し、
前記ＶＮＦソフトウェアイメージの成功した削除の後で、前記ＭａｎａｇｅｄＥｌｅｍｅｎｔオブジェクトを削除するように前記ＮＭが前記エレメントマネージャ（ＥＭ）に要求することを可能にする確認応答を、ＮＭに送信する
ように当該ＮＦＶＯを設定する、請求項４に記載のＮＦＶＯ。
【請求項１０】
前記ＬＣＭがＶＮＦパッケージ無効状態にあるとともに、ＶＮＦパッケージが１つ又は複数のＶＮＦインスタンスによって使用されている場合に、前記処理回路が、
前記ＮＭから削除ＶＮＦパッケージコマンドを受信し、
カタログにおける削除保留中の前記ＶＮＦパッケージに印を付け、
前記ＮＭに確認応答を送信して前記ＶＮＦパッケージが削除保留中であることを示し、
前記ＬＣＭ状態をＶＮＦパッケージ削除保留状態に変更する
ように当該ＮＦＶＯを設定する、請求項３に記載のＮＦＶＯ。
【請求項１１】
前記ＬＣＭが前記ＶＮＦパッケージ無効状態にあるとともに、ＶＮＦパッケージが１つ又は複数のＶＮＦインスタンスによって使用されている場合に、前記処理回路が、
前記ＮＭからＶＮＦ終了コマンドを受信し、
前記ＮＦＶＩにおいて、１つ又は複数の仮想マシン（ＶＭ）及び関連するネットワーキングリソースを削除するように、前記ＶＩＭに要求し、
成功したＶＮＦの終了後に、前記ＶＮＦを削除するように前記ＮＭがエレメントマネージャ（ＥＭ）に要求することを可能にすることになる確認応答を、ＮＭに送信する
ように当該ＮＦＶＯを設定する、請求項３に記載のＮＦＶＯ。
【請求項１２】
前記ＬＣＭが前記ＶＮＦパッケージ削除保留状態にあり、ＶＮＦパッケージが２つ以上のＶＮＦインスタンスによって使用されている場合に、前記処理回路が、
前記ＮＭからＶＮＦ終了コマンドを受信し、
前記ＮＦＶＩにおいて、１つ又は複数の仮想マシン（ＶＭ）及び関連するネットワーキングリソースを削除するように、前記ＶＩＭに要求し、
成功したＶＮＦの終了後に、前記ＶＮＦを削除するように前記ＮＭがエレメントマネージャ（ＥＭ）に要求することを可能にすることになる確認応答を、ＮＭに送信する
ように当該ＮＦＶＯを設定する、請求項３に記載のＮＦＶＯ。
【請求項１３】
前記ＬＣＭがＶＮＦパッケージ削除保留状態にあり、前記ＶＮＦパッケージが１つのＶＮＦインスタンスによって使用され、前記処理回路が、
前記ＮＭからＶＮＦ終了コマンドを受信して、前記ＶＮＦパッケージを使用する前記ＶＮＦインスタンスを終了し、
カタログにおける前記ＶＮＦパッケージを削除し、
ＮＦＶＩにおいて、仮想マシン（ＶＭ）、関連するネットワーキングリソース、及び１つ又は複数の前記ＶＮＦソフトウェアイメージを削除するように、ＶＩＭに要求し、
成功したＶＮＦの終了及びＶＮＦパッケージの削除後に、前記ＶＮＦ及び前記ＭａｎａｇｅｄＥｌｅｍｅｎｔオブジェクトを削除するように前記ＮＭが前記エレメントマネージャ（ＥＭ）に要求することを可能にすることになる確認応答を、前記ＮＭに送信する
ように当該ＮＦＶＯを設定する、請求項４に記載のＮＦＶＯ。
【請求項１４】
ネットワーク機能仮想化（ＮＦＶ）ライフサイクル管理（ＬＣＭ）動作を促進する仮想化ネットワーク機能マネージャ（ＶＮＦＭ）であって、当該ＶＮＦＭが、
所与のＶＮＦインスタンスをスケールする要求をエレメントマネージャ（ＥＭ）から受信し、
前記スケールする要求によって指示されるように、ＶＭ及び関連するネットワーキングリソースを作成して開始する要求をＶＩＭに送信し、
所与のＶＮＦインスタンスに関する仮想化リソースの成功したスケーリングの後で、前記ＶＩＭから確認応答を受信し、
ＶＮＦスケーリング動作が行われた後で、ＥＭがＶＮＦのオブジェクトを変更するとともに管理対象オブジェクトの前記変更をＮＭに通知することを可能にすることになる確認応答を、ＥＭに送信する
ための処理回路を備える、ＶＮＦＭ。
【請求項１５】
前記ＶＮＦの前記オブジェクトが、ＰＣＲＦｕｎｃｔｉｏｎオブジェクト、ＳｅｒｖｉｎｇＧｗＦｕｎｃｔｉｏｎオブジェクト、又はＰＧＷＦｕｎｃｔｉｏｎオブジェクトのうちの少なくとも１つを含む、請求項１４に記載のＶＮＦＭ。
【請求項１６】
命令を含むコンピュータプログラムであって、前記命令が、ネットワーク機能仮想化（ＮＦＶ）ライフサイクル管理（ＬＣＭ）動作を促進するように動作可能なネットワーク機能仮想化オーケストレータ（ＮＦＶＯ）のプロセッサによって実行される場合に、
ネットワークマネージャ（ＮＭ）からライフサイクル管理コマンド（ＬＣＭＣ）を受信してＬＣＭ動作を開始し、
前記ＬＣＭＣに応答して、ＬＣＭ状態テーブルに少なくとも部分的に基づいて実行されるべきＬＣＭ動作を決定し、
前記ＬＣＭ動作の実行後に移行するべきＬＣＭ状態を決定し、
１つ若しくは複数の仮想化ネットワーク機能（ＶＮＦ）ソフトウェアイメージを、ＮＦＶインフラストラクチャ（ＮＦＶＩ）にアップロードするか、又はＮＦＶインフラストラクチャ（ＮＦＶＩ）から削除し、そして
ＮＦＶＩにおいて、１つ若しくは複数の仮想マシン（ＶＭ）及び関連するネットワーキングリソースを作成するか又は削除する
ように、仮想化インフラストラクチャマネージャ（ＶＩＭ）に要求を送信し、
所与のＶＮＦインスタンスに関する１つ若しくは複数の仮想化リソースの成功した割り当て又は削除の後で、前記ＶＩＭから確認応答を受信し、
前記ＬＣＭ動作が完了した後で、前記ネットワークマネージャ（ＮＭ）に、前記ＮＭが１つ又は複数の構成管理（ＣＭ）動作を実行することを可能にする確認応答を送信する
ように前記プロセッサを設定する、コンピュータプログラム。
【請求項１７】
前記ＬＣＭＣが、オンボードＶＮＦパッケージ、無効ＶＮＦパッケージ、有効ＶＮＦパッケージ、更新ＶＮＦパッケージ、クエリＶＮＦパッケージ、削除ＶＮＦパッケージ、ＶＮＦインスタンス化、ＶＮＦ終了、又はＶＮＦスケーリングのうちの少なくとも１つを含む、請求項１６に記載のコンピュータプログラム。
【請求項１８】
前記ＬＣＭ状態が、ＶＮＦパッケージ無効状態、ＶＮＦパッケージ有効状態、又はＶＮＦパッケージ削除保留状態のうちの少なくとも１つを含む、請求項１６に記載のコンピュータプログラム。
【請求項１９】
命令を更に含み、前記命令が、プロセッサによって実行される場合に、
１つ又は複数の前記ＶＮＦソフトウェアイメージを含むオンボードＶＮＦパッケージコマンドをＮＭから受信し、
ＶＮＦパッケージに応答して、１つ又は複数の前記ＶＮＦソフトウェアイメージをＮＦＶＩにアップロードするように、ＶＩＭに要求し、
ＮＦＶＩに対する１つ又は複数の前記ＶＮＦソフトウェアイメージのアップロードの後で、ＭａｎａｇｅｄＥｌｅｍｅｎｔオブジェクトを作成するように前記ＮＭがエレメントマネージャ（ＥＭ）に要求することを可能にする確認応答を、ＮＭに送信し
前記ＬＣＭ状態を前記ＶＮＦパッケージ無効状態に変更する
ように前記プロセッサを設定する、請求項１８に記載のコンピュータプログラム。
【請求項２０】
命令を更に含み、前記命令が、前記ＬＣＭが前記ＶＮＦパッケージ無効状態にある場合に、
前記ＮＭから有効ＶＮＦパッケージコマンドを受信し、
カタログにおける有効にされた前記ＶＮＦパッケージに印を付け、
前記ＮＭに確認応答を送信して前記ＶＮＦパッケージが有効であることを示し、
前記ＬＣＭ状態を前記ＶＮＦパッケージ有効状態に変更する
ように前記プロセッサを設定する、請求項１９に記載のコンピュータプログラム。
【請求項２１】
命令を更に含み、前記命令が、前記ＬＣＭが前記ＶＮＦパッケージ有効状態にある場合に、
ＮＭからＶＮＦインスタンス化コマンドを受信し、
ＮＦＶＩにおいて、仮想マシン（ＶＭ）及び関連するネットワーキングリソースを作成して開始するように、ＶＩＭに要求し、
成功したＶＮＦインスタンス化の後で、前記ＭａｎａｇｅｄＥｌｅｍｅｎｔオブジェクトの中に名前が含まれているＶＮＦオブジェクトを作成するように前記ＮＭが前記エレメントマネージャ（ＥＭ）に要求することを可能にする確認応答を、ＮＭに送信する
ように前記プロセッサを設定する、請求項１９に記載のコンピュータプログラム。
【請求項２２】
命令を更に含み、前記命令が、前記ＬＣＭが前記ＶＮＦパッケージ有効状態にある場合に、
前記ＮＭからＶＮＦ終了コマンドを受信して、既存のＶＮＦインスタンスを終了し、
前記ＮＦＶＩにおいて、１つ又は複数の仮想マシン（ＶＭ）及び関連するネットワーキングリソースを削除するように、前記ＶＩＭに要求し、
成功したＶＮＦの終了後に、前記ＶＮＦを削除するように前記ＮＭがエレメントマネージャ（ＥＭ）に要求することを可能にすることになる確認応答を、前記ＮＭに送信する
ように前記プロセッサを設定する、請求項１８に記載のコンピュータプログラム。
【請求項２３】
命令を更に含み、前記命令が、前記ＬＣＭが前記ＶＮＦパッケージ有効状態にある場合に、
ＮＭから無効ＶＮＦパッケージコマンドを受信し、
カタログにおける無効にされたＶＮＦパッケージに印を付け、
ＮＭに確認応答を送信して前記ＶＮＦパッケージが無効であることを示し、
前記ＬＣＭ状態をＶＮＦパッケージ無効状態に変更する
ように前記プロセッサを設定する、請求項１８に記載のコンピュータプログラム。
【請求項２４】
命令を更に含み、前記命令が、前記ＬＣＭが前記ＶＮＦパッケージ無効状態にあるとともに、前記ＶＮＦパッケージがあらゆるＶＮＦインスタンスによって使用されていない場合に、
ＮＭから削除ＶＮＦパッケージコマンドを受信し、
カタログにおける前記ＶＮＦパッケージを削除し、
ＮＦＶＩにおいて、１つ又は複数の前記ＶＮＦソフトウェアイメージを削除するように、前記ＶＩＭに要求を送信し、
前記ＶＮＦソフトウェアイメージの成功した削除の後で、前記ＭａｎａｇｅｄＥｌｅｍｅｎｔオブジェクトを削除するように前記ＮＭが前記エレメントマネージャ（ＥＭ）に要求することを可能にする確認応答を、ＮＭに送信する
ように前記プロセッサを設定する、請求項１９に記載のコンピュータプログラム。
【請求項２５】
命令を更に含み、前記命令が、前記ＬＣＭがＶＮＦパッケージ無効状態にあるとともに、ＶＮＦパッケージが１つ又は複数のＶＮＦインスタンスによって使用されている場合に、
前記ＮＭから削除ＶＮＦパッケージコマンドを受信し、
カタログにおける削除保留中の前記ＶＮＦパッケージに印を付け、
前記ＮＭに確認応答を送信して前記ＶＮＦパッケージが削除保留中であることを示し、
前記ＬＣＭ状態をＶＮＦパッケージ削除保留状態に変更する
ように前記プロセッサを設定する、請求項１８に記載のコンピュータプログラム。
【請求項２６】
請求項１６から請求項２５のいずれか一項に記載のコンピュータプログラムを記憶したコンピュータ読み取り可能な記憶媒体。
【発明の詳細な説明】
【技術分野】
【０００１】
本開示は、一般に、電子通信の分野に関する。より詳細には、態様は、一般に、通信システムにおけるネットワーク機能の仮想化をサポートするネットワークリソースモデルに関する。
【０００２】
本出願は、米国特許法第１１９条（ｅ）の下で、２０１５年７月２３日に出願され、“METHOD  AND  SYSTEM  OF  NETWORK  RESOURCE  MODEL  TO  SUPPORT  NFV  LIFECYCLE  MANAGEMENT”と表題を付けられた米国仮出願第６２／１９６，１９１号の優先権の利益を主張し、上記米国出願の開示は、その全体が参照により本明細書に組み込まれている。
【背景技術】
【０００３】
地上波公共移動通信ネットワーク（public  land  mobile  network：ＰＬＭＮ）が初めてインストールされ、初期化される場合に、ネットワークエンティティ（network  entities：ＮＥ）を表す様々なオブジェクトが作成され、ネットワークマネージャ（network  manager：ＮＭ）に導入される。ＮＭは、運用に不可欠なＰＬＭＮネットワークをオペレータが管理すること、を可能にする。従来型又は非仮想化ＰＬＭＮネットワークのインストールは手動で行われるため、管理対象オブジェクトは手動で作成される。
【０００４】
ネットワーク機能仮想化（network  function  virtualization：ＮＦＶ）の場合そのようなことはない。仮想化ネットワークでは、仮想ネットワーク機能（virtual  network  function：ＶＮＦ）インスタンスは、様々なＶＮＦライフサイクル管理手順に従って、自動的にインスタンス化される（instantiated）か又は終了される（terminated）。したがって、様々な管理対象オブジェクトは、自動的に作成又は削除されることができる。その結果、ＶＮＦライフサイクル管理によって利用される管理対象オブジェクトを作成、変更、及び削除する技術は、例えば仮想化ネットワーク環境において、自動的に有用性を見出すことができる。
【０００５】
詳細な説明が、添付図面を参照して提供される。異なる図面における同じ参照番号の使用は、類似又は同一の事項を示す。
【図面の簡単な説明】
【０００６】
【図１】本明細書で論じられる様々な実例による３ＧＰＰ  ＬＴＥネットワークにおける構成要素の概略ブロック図の例示である。
【図２Ａ】本明細書で論じられる様々な実例による進化型コアパケット（ＥＣＰ）ネットワークリソースモデル（ＮＲＭ）の包含／命名関係の概略ブロック図の例示である。
【図２Ｂ】本明細書で論じられる様々な実例によるＥＣＰネットワークリソースモデル（ＮＲＭ）の概略ブロック図の例示である。
【図３】本明細書で論じられる様々な実例によるネットワーク機能仮想化管理及びオーケストレーション（ＮＦＶ−ＭＡＮＯ）のためのアーキテクチャの概略ブロック図の例示である。
【図４】本明細書で論じられる様々な実例による仮想ネットワーク機能（ＶＮＦ）ライフサイクル管理状態遷移図である。
【図５】本明細書で論じられる様々な実例によるＶＮＦインスタンス化手順を有する構成管理における動作を例示する図である。
【図６】本明細書で論じられる様々な実例によるＶＮＦインスタンス化手順を有する構成管理における動作を例示する図である。
【図７】本明細書で論じられる様々な実例によるＶＮＦスケーリング手順を有する構成管理における動作を例示する図である。
【図８】本明細書で開示された１つ又は複数の代表的な実施例による無線ネットワークの概略ブロック図の例示である。
【図９】本明細書で開示された１つ又は複数の代表的な実施例による３ＧＰＰタイプの無線アクセスネットワーク標準に基づくＵＥとｅＮｏｄｅＢとの間の無線インタフェースプロトコル構造の概略ブロック図の例示である。
【図１０】本明細書で開示された１つ又は複数の代表的な実施例による３ＧＰＰタイプの無線アクセスネットワーク標準に基づくＵＥとｅＮｏｄｅＢとの間の無線インタフェースプロトコル構造の概略ブロック図の例示である。
【図１１】本明細書で開示された１つ又は複数の代表的な実施例による情報処理システムの概略ブロック図の例示である。
【図１２】本明細書で開示された１つ又は複数の代表的な実施例による、任意にタッチスクリーンを含むことができる図１０の情報処理システムの代表的な実施例の等角図である。
【図１３】本明細書で開示された１つ又は複数の代表的な実施例による無線装置の構成要素の概略ブロック図の例示である。
【発明を実施するための形態】
【０００７】
説明を簡潔及び／又は明瞭にするために、図に示された要素は必ずしも一定の縮尺で描かれていない、ということが認識されることになる。例えば、いくつかの要素の寸法は、明瞭化のために他の要素に対して誇張されていてもよい。さらに、適切であると考えられる場合、対応する要素及び／又は類似の要素を示すために、図面間で参照番号が繰り返されている。
【０００８】
下記の説明では、様々な実例の完全な理解を提供するために、多数の具体的な詳細が説明されている。しかしながら、様々な実例は、具体的な詳細なしに実施されることができる。他の場合には、よく知られた方法、手順、構成要素、及び回路は、特定の実例を不明瞭にしないように、詳細には説明されていない。さらに、実例の様々な態様は、集積半導体回路（“ハードウェア”）、１つ若しくは複数のプログラムに編成されたコンピュータ読み取り可能な命令（“ソフトウェア”）、又はハードウェアとソフトウェアとのいくつかの組み合わせなどの様々な手段を使用して実行されてもよい。本開示の目的のために、“ロジック（logic：論理）”への言及は、ハードウェア、ソフトウェア、又はそれらのいくつかの組み合わせを意味するものとする。
【０００９】
この明細書の至るところにおける“１つの実施例”又は“一実施例”に対する参照は、実施例に関連して説明された特別な特徴、構造、又は特性が、少なくとも１つの実施例に含まれることを意味する。したがって、この明細書の至るところの様々な場所における“１つの実施例において”又は“一実施例において”という言い回しの状況は、全てが必ずしも同じ実施例を参照するとは限らない。さらに、特定の構成、構造、又は特性は、１つ若しくは複数の実施例において、あらゆる適当な方法で結合され得る。さらに、“代表的な”という語は、本明細書では、“実例、事例、又は例示としての役割を果たす”ことを意味するために使用される。本明細書で“代表的な”と記載されたあらゆる実施例は、他の実施例よりも必ずしも好ましい又は有利であると解釈されるべきではない。
【００１０】
同様に、様々な動作は、複数の別々の動作として、そして権利請求された主題の範囲を理解する上で最も有効である方法で、説明され得る。しかしながら、説明の順序は、これらの動作が必ずしも順序に依存していることを意味すると解釈されるべきではない。特に、これらの動作は、提示の順序で実行されなくてもよい。説明された動作は、説明された実施例とは異なる順序で実行されてもよい。様々な追加の動作が実行され得るか、及び／又は、説明された動作は更なる実施例では省略されてもよい。
【００１１】
上記で簡単に説明したように、ＶＮＦライフサイクル管理によって利用される管理対象オブジェクトを作成、変更、及び削除する技術は、例えば仮想化ネットワーク環境において、自動的に有用性を見出すことができる。そのような技術、並びにその技術が組み込まれ得る通信システムの特徴及び特性は、図１から図１３を参照して、下記で説明される。
【００１２】
図１は、本明細書で開示された主題による、１つ又は複数の仮想ネットワーク機能を含むことができる３ＧＰＰ  ＬＴＥネットワーク１００の全体的なアーキテクチャの代表的なブロック図を示す。図１は、同様に、代表的なネットワーク要素、及び代表的な標準化インタフェースを概略的に示す。高レベルにおいて、ネットワーク１００は、コアネットワーク（ＣＮ）１０１（同様にＥＰＣと呼ばれる）と、エアインタフェースアクセスネットワークＥ  ＵＴＲＡＮ１０２とを含む。ＣＮ１０１は、ネットワークに接続された様々なユーザ機器（ＵＥ）の全体的な制御、及びベアラの確立を担当する。ＣＮ１０１は、明示されていないが、ホームエージェント、及び／又はＡＮＤＳＦサーバ若しくはエンティティなどの、機能エンティティを含むことができる。Ｅ  ＵＴＲＡＮ１０２は、全ての無線関連機能を担当する。
【００１３】
ＣＮ１０１の主な代表的な論理ノードは、下記には限定されないが、サービングＧＰＲＳサポートノード１０３、モビリティ管理エンティティ１０４、ホーム加入者サーバ（Home  Subscriber  Server：ＨＳＳ）１０５、サービングゲート（Serving  Gate：ＳＧＷ）１０６、ＰＤＮゲートウェイ１０７、並びにポリシー及び課金ルール機能（Policy  and  Charging  Rules  Function：ＰＣＲＦ）マネージャ１０８を含む。ＣＮ１０１の各ネットワーク要素の機能は周知であり、ここでは説明されない。ＣＮ１０１の各ネットワーク要素は、本明細書では説明されないが、インタフェースＳ３、Ｓ４、Ｓ５などのような、図１Ａにおいていくつかが示されている周知の代表的な標準化インタフェースによって相互接続されている。
【００１４】
ＣＮ１０１が多くの論理ノードを含む一方、Ｅ  ＵＴＲＡＮアクセスネットワーク１０２は、１つ又は複数のユーザ機器（ＵＥ）１１０に接続する進化型ノードＢ（基地局（ＢＳ）、ｅＮＢ、又はｅＮｏｄｅＢ）１１０などの少なくとも１つのノードによって形成され、そのうちの１つのみが図１Ａに示されている。ＵＥ１１１は、同様に、本明細書では、無線装置（wireless  device：ＷＤ）及び／又は加入者ステーション（subscriber  station：ＳＳ）と呼ばれ、Ｍ２Ｍ型装置を含むことができる。一例において、ＵＥ１１１は、ＬＴＥ−ＵｕインタフェースによってｅＮＢに結合されてもよい。１つの代表的な構成では、Ｅ  ＵＴＲＡＮアクセスネットワーク１０２の単一セルは、１つの実質的に局所化された地理的送信点（複数のアンテナ装置を有する）を提供し、それは１つ又は複数のＵＥへのアクセスを提供する。別の代表的な構成では、Ｅ  ＵＴＲＡＮアクセスネットワーク１０２の単一セルは、複数の地理的に、実質的に隔離された送信点（各々が１つ又は複数のアンテナ装置を有する）を提供し、各送信点は、１つ又は複数のＵＥへのアクセスを同時に提供するとともに、全てのＵＥが同じ空間シグナリング次元（spatial  signaling  dimensioning）を共有するように、シグナリングビットが１つのセルに対して定義される。（ブロードキャストとは対照的に）通常のユーザトラフィックの場合、Ｅ−ＵＴＲＡＮには集中コントローラが存在せず、したがって、Ｅ−ＵＴＲＡＮアーキテクチャはフラットであると言われる。ｅＮＢは、通常、“Ｘ２”として知られているインタフェースによって相互に相互接続され、そしてＳ１インタフェースによってＥＰＣに相互接続されている。より具体的には、ｅＮＢは、Ｓ１  ＭＭＥインタフェースによってＭＭＥ１０４に接続され、そしてＳ１  ＵインタフェースによってＳＧＷ１０６に接続される。ｅＮＢとＵＥとの間で実行されるプロトコルは、一般に、“ＡＳプロトコル”と呼ばれる。様々なインタフェースの詳細は周知であり、ここでは説明されない。
【００１５】
ｅＮＢ１１０は、図１Ａには示されていない、物理（ＰＨＹ）、媒体アクセス制御（ＭＡＣ）、無線リンク制御（ＲＬＣ）、及びパケットデータ制御プロトコル（Packet  Data  Control  Protocol：ＰＤＣＰ）レイヤをホストするとともに、ｅＮＢ１１０は、ユーザプレーンのヘッダ圧縮及び暗号化の機能を含む。ｅＮＢ１１０は、同様に、制御プレーンに対応する無線リソース制御（ＲＲＣ）機能を提供するとともに、無線リソース管理、承認制御、スケジューリング、ネゴシエート済みアップリンク（ＵＬ）ＱｏＳの実施、セル情報ブロードキャスト、ユーザ及び制御プレーンデータの暗号化／解読、並びにＤＬ／ＵＬユーザプレーンパケットヘッダの圧縮／解凍を含む多くの機能を実行する。
【００１６】
ｅＮＢ１１０におけるＲＲＣレイヤは、無線ベアラ制御、無線アドミッション制御、無線モビリティ制御、アップリンク及びダウンリンクの両方におけるＵＥへのリソースのスケジューリング及び動的割り当て、無線インタフェースの効率的な使用のためのヘッダ圧縮、無線インタフェースを介して送信される全てのデータのセキュリティ、並びにＥＰＣへの接続性などの無線ベアラに関連する全ての機能をカバーする。ＲＲＣレイヤは、ＵＥ１１１によって送信された隣接セル測定値に基づいてハンドオーバ決定を行い、送信中のＵＥ１１１のためのページを生成し、システム情報をブロードキャストし、チャネル品質情報（ＣＱＩ）レポートの周期などのＵＥ測定報告を制御し、アクティブなＵＥ１１１にセルレベルの一時識別子を割り当てる。ＲＲＣレイヤは、同様に、ハンドオーバ中にソースｅＮＢからターゲットｅＮＢへのＵＥコンテキストの転送を実行し、ＲＲＣメッセージに対する保全性保護を提供する。さらに、ＲＲＣレイヤは、無線ベアラの設定及びメンテナンスを担当する。
【００１７】
図２Ａは、本明細書で論じられる様々な実例による進化型コアパケット（ＥＣＰ）ネットワークリソースモデル（ＮＲＭ）の包含／命名関係の概略ブロック図の例示である。図２Ａを参照すると、ＮＲＭサブネットワークは、３ＧＰＰネットワーク要素（Network  Element：ＮＥ）に対応するＭａｎａｇｅｄＥｌｅｍｅｎｔオブジェクト２１４を備えるとともに、進化型パケットデータゲートウェイ（evolved  packet  data  gateway：ＥＤＰＧ）機能２１８と、ＳｅｒｖｉｎｇＧｗＦｕｎｃｔｉｏｎ２２０と、ＭＭＥＦｕｎｃｔｉｏｎ２２２と、ＭａｎａｇｅｄＰＣＲＦｕｎｃｔｉｏｎ２２４と、ＭＭＥ、ＰＣＲＦ、サービングゲートウェイ、及びＰＤＮゲートウェイを表すＰＧＷＦｕｎｃｔｉｏｎ２２６とを含み得る。ＰＬＭＮネットワークが初めてインストールされる場合に、ＰＬＭＮネットワークは、ＭａｎａｇｅｄＥｌｅｍｅｎｔ、ＭＭＥＦｕｎｃｔｉｏｎ、ＰＣＲＦｕｎｃｔｉｏｎ、ＳｅｒｖｉｎｇＧｗＦｕｎｃｔｉｏｎ、及びＰＧＷＦｕｎｃｔｉｏｎを手動で作成することになる。
【００１８】
ＮＦＶでは、ＶＮＦパッケージが自動的にオンボードされる（on-boarded）か又は削除されることができ、ＶＮＦインスタンスは、自動的にインスタンス化されるか又は終了されることができる。したがって、管理対象オブジェクトは、自動的に作成、削除、又は変更されることがある。表１は、ＭａｎａｇｅｄＥｌｅｍｅｎｔの属性のリストを提供する。
【００１９】
【表１】
2018530183.tif 000003
【００２０】
表Ｉにおいて、ＶｅｎｄｏｒＮａｍｅは、ＶＮＦを作成するベンダの名前を表し、ｕｓｅｒＤｅｆｉｎｅｄＳｔａｔｅは、ＶＮＦパッケージの状態（無効、有効など）を表し、ｓｗＶｅｒｓｉｏｎはソフトウェアのバージョンを表し、ｍａｎａｇｅｄＥｌｅｍｅｎｔＴｙｐｅは、ＶＮＦのタイプ（例えば、ｖＭＭＥ、ｖＳＧＷ、ｖＰＧＷなど）を表し、ｖｎｆＩｍａｇｅＩｄは、ＮＦＶをサポートするために追加されたＶＮＦイメージのＩＤを表し、仮想化ネットワークにのみ適用される。
【００２１】
図２Ｂは、本明細書で論じられる様々な実例による進化型コアパケット（ＥＣＰ）ネットワークリソースモデル（ＮＲＭ）の概略ブロック図の例示である。より詳細には、図２Ｂは、ＮＦＶをサポートするために使用されるＥＰＣ  ＮＲＭ継承階層（inheritance  hierarchy）を例示する。ＭＭＥＦｕｎｃｔｉｏｎ、ＰＣＲＦｕｎｃｔｉｏｎ、ＳｅｒｖｉｎｇＧｗＦｕｎｃｔｉｏｎ、及びＰＧＷＦｕｎｃｔｉｏｎはＭａｎａｇｅｄＦｕｎｃｔｉｏｎから継承されるため、ＭａｎａｇｅｄＦｕｎｃｔｉｏｎは、全てのＶＮＦアプリケーションに共通の属性を含む必要がある。表ＩＩは、ＭａｎａｇｅｄＦｕｎｃｔｉｏｎの属性を列挙する。
【００２２】
【表２】
2018530183.tif 000004
【００２３】
パラメータｖｎｆＩｎｓｔａｎｃｅＩｄは、ＶＮＦインスタンスのＩＤを表す。これはＮＦＶをサポートするために追加され、仮想化ネットワークにのみ適用される。
【００２４】
ＶＮＦパッケージオンボーディング（VNF  Package  on-boarding）とＶＮＦインスタンス化（VNF  instantiation）、スケーリング（scaling）、及び終了（termination）は、ＶＮＦライフサイクル管理の重要な機能である。ＶＮＦパッケージオンボーディングは、ＶＮＦインスタンス化、スケーリング、及び終了の動作と密接に関連している。例えば、ＶＮＦパッケージがオンボードされて有効にされるまで、ＶＮＦはインスタンス化されることができない。さらに、ＶＮＦパッケージは、そのようなＶＮＦパッケージが無効にされて、（複数の）あらゆる未処理のＶＮＦインスタンスによって使用されていない場合にのみ、削除されることができる。最後に、ＶＮＦパッケージが、有効にされるか又は無効にされ、そして（複数の）あらゆる未処理のＶＮＦインスタンスによって使用されていない場合、ＶＮＦパッケージは更新されることができる。
【００２５】
図３は、本明細書で論じられる様々な実例によるネットワーク機能仮想化管理及びオーケストレーション（network  function  virtualization  management  and  orchestration：ＮＦＶ−ＭＡＮＯ）のためのアーキテクチャの概略ブロック図の例示である。図３を参照すると、一例において、ＮＦＶ−ＭＡＮＯ３００は、ネットワークサービス（network  service：ＮＳ）カタログ３２０を含むデータリポジトリを維持するＮＦＶオーケストレータ（NFV  Orchestrator：ＮＦＶＯ）３１０、仮想化ネットワーク機能（virtualized  network  function：ＶＮＦ）カタログ、１つ又は複数のネットワーク機能仮想化（network  function  virtualization：ＮＦＶ）インスタンス３２４、及び１つ又は複数のネットワーク機能仮想化インフラストラクチャＮＦＶＩリソース３２６を備える。ＮＦＶ−ＭＡＮＯは、ＶＮＦマネージャ３３０及び仮想化インフラストラクチャマネージャ（virtualized  infrastructure  manager：ＶＩＭ）３４０を更に備える。
【００２６】
ＮＦＶ−ＭＡＮＯ３００は、オペレーションサポートシステム（operations  support  system：ＯＳＳ）及び／又はビジネスサポートシステム（business  support  system：ＢＳＳ）３５０に通信可能に結合されてもよく、ＮＦＶ−ＭＡＮＯ３００は、同様に、エレメントマネージャ３５２、１つ又は複数の仮想化ネットワーク機能（ＶＮＦ）３５４、及び１つ又は複数のネットワーク仮想化機能インフラストラクチャ（ＮＶＦＩ）コンポーネント３５６に通信可能に結合される。
【００２７】
ＮＦＶＯ３１０は、とりわけ、ネットワークサービスのライフサイクル管理を担当する。それに関して、図４は、本明細書で論じられる様々な実例による仮想ネットワーク機能（ＶＮＦ）ライフサイクル管理状態遷移図である。図４は、ＶＮＦライフサイクル管理動作の流れを例示する。図４を参照すると、オンボードＶＮＦパッケージコール（on-board  VNF  Package  call）は、ＶＮＦパッケージの作成についてカタログ（Catalog）に通知し、仮想化インフラストラクチャマネージャ（ＶＩＭ）が１つ又は複数のＶＮＦソフトウェアイメージをネットワーク機能仮想化インフラストラクチャ（network  functions  virtualization  infrastructure：ＮＦＶＩ）にアップロードし、次にＶＮＦパッケージ無効状態（VNF  Package  Disabled  state）に移行することを可能にするために使用される。
【００２８】
ＶＮＦパッケージ無効状態（VNF  Package  Disabled  state）では、ＶＮＦインスタンス化は許可されない。クエリＶＮＦパッケージコール（query  VNF  Package  call）は、カタログからＶＮＦパッケージの情報を戻すために使用される。有効ＶＮＦパッケージコール（enable  VNF  Package  call）は、ＶＮＦパッケージ有効状態（VNF  Package  Enabled  state）に移行することを可能にする。あらゆるＶＮＦインスタンスによってＶＮＦパッケージが使用されていない場合、その場合に、削除ＶＮＦパッケージコール（Delete  VNF  Package  call）は、ＶＮＦパッケージの削除についてカタログに通知し、ＶＩＭが（複数の）ＶＮＦソフトウェアイメージを削除することを可能にするために使用される。更新ＶＮＦパッケージコール（Update  VNF  Package  call）は、ＶＮＦパッケージを更新するために使用される。ＶＮＦパッケージがいずれかのＶＮＦインスタンスによって使用されている場合、その場合に、削除ＶＮＦパッケージコール（Delete  VNF  Package  call）は、未処理のＶＮＦインスタンスの終了に関して保留する、ＶＮＦパッケージ削除保留状態（VNF  Package  Deletion  Pending  state）への遷移を可能にする。ＶＮＦ終了コール（VNF  termination  call）は、残りのＶＮＦインスタンスを終了するために使用される。ＶＮＦスケーリングは、許可されてもされなくてもよい。更新ＶＮＦパッケージコール（Update  VNF  Package  call）は、新しいＶＮＦパッケージを生成するために使用される。
【００２９】
ＶＮＦパッケージ有効状態（VNF  Package  Enabled  state）では、クエリＶＮＦパッケージコール（query  VNF  Package  call）は、カタログからＶＮＦパッケージの情報を戻すために使用される。無効ＶＮＦパッケージ（Disable  VNF  Package）は、ＶＮＦパッケージ無効状態（VNF  Package  Disabled  state）に移行することを可能にする。ＶＮＦスケーリング、インスタンス化、及び終了が許可される。更新ＶＮＦパッケージコール（Update  VNF  Package  call）は、ＶＮＦパッケージがあらゆるＶＮＦインスタンスによって使用されていない場合、ＶＮＦパッケージを更新するために使用される。そうでなければ、新しいＶＮＦパッケージが生成される。
【００３０】
ＶＮＦパッケージ削除保留状態（VNF  Package  Deletion  Pending  state）では、クエリＶＮＦパッケージコール（query  VNF  Package  call）は、カタログからＶＮＦパッケージの情報を戻すために使用される。ＶＮＦ終了コール（VNF  termination  call）は、（複数の）未処理のＶＮＦインスタンスを終了するために使用される。それ以上未処理のＶＮＦインスタンスが存在しない場合に、それは、ＶＮＦパッケージの削除についてカタログに通知し、ＶＩＭが（複数の）ＶＮＦソフトウェアイメージを削除することを可能にすることになる。
【００３１】
図５は、本明細書で論じられる様々な実例によるＶＮＦインスタンス化手順を有する構成管理における動作を例示する図である。図５は、管理対象オブジェクトインスタンスを作成し、ＶＮＦインスタンス化中に必要とされる（複数の）管理対象オブジェクトインスタンスの属性を変更することを含む、構成管理機能の手順におけるコールフローを例示する。
【００３２】
図５を参照すると、最初にネットワークマネージャ（network  manager：ＮＭ）が、オンボードＶＮＦパッケージコール（on-board  VNF  Package  call）をネットワーク機能仮想化オーケストレータ（network  function  virtualization  orchestrator：ＮＦＶＯ）に送信する。ＮＦＶＯは、“オンボードＶＮＦパッケージ”フローを実行して、ＶＩＭが（複数の）ＶＮＦソフトウェアイメージをＮＦＶＩにアップロードすることを可能にする。
【００３３】
ＶＮＦパッケージがオンボードされる場合に、ＮＦＶＯはオンボードＶＮＦパッケージの確認応答（acknowledgement）をＮＭに送信する。呼応して、ＮＭは、エレメントマネージャ（element  manager：ＥＭ）に、＜＜ＩＯＣ＞＞  ＭａｎａｇｅｄＥｌｅｍｅｎｔを作成し、属性ｕｓｅｒＤｅｆｉｎｅｄＳｔａｔｅを“無効”状態（“Disabled”  State）に変更し、ＶＮＦアプリケーションのタイプを表すように属性ｍａｎａｇｅｄＥｌｅｍｅｎｔＴｙｐｅを変更し、ＶＮＦイメージＩＤ＝ＶＮＦイメージのＩＤに変更するように要求する。下記は、ＶＮＦアプリケーションの一例としてパケットゲートウェイ（Packet  Gateway：ＰＧＷ）を使用する。したがって、ｍａｎａｇｅｄＥｌｅｍｅｎｔＴｙｐｅはＰＧＷに設定される。
【００３４】
ＮＭは、有効ＶＮＦパッケージコール（enable  VNF  Package  call）をＮＦＶＯに送信し、ＮＦＶＯは、ＶＮＦパッケージを有効にするために“有効ＶＮＦパッケージ”フローを実行する。ＶＮＦパッケージがオンボードされる場合に、ＮＦＶＯは、有効ＶＮＦパッケージの確認応答（acknowledgement）をＮＭに送信する。呼応して、ＮＭは、属性ｕｓｅｒＤｅｆｉｎｅｄＳｔａｔｅを“有効”状態（“Enabled”  State）に設定するようＥＭに要求する。
【００３５】
ＮＭは、次に、ＶＮＦインスタンスをインスタンス化するようにＮＦＶＯに要求する。呼応して、ＮＦＶＯは、（複数の）ＶＭ（ＶＮＦ及びＶＮＦＣを含む）並びに関連するネットワーキングリソースを作成して開始するようにＶＩＭに要求することにより、ＶＮＦインスタンスをインスタンス化する。
【００３６】
ＶＮＦＭは、成功したＶＮＦインスタンス化の通知をＥＭに送信する。呼応して、ＥＭは、ＭａｎａｇｅｄＥｌｅｍｅｎｔの中に名前が含まれている（name-contained）＜＜ＩＯＣ＞＞  ＰＧＷＦｕｎｃｔｉｏｎを作成し、その属性を変更し、管理対象オブジェクトの変更についてＮＭに通知する。
【００３７】
ＶＮＦＭは、成功したＶＮＦインスタンス化の確認応答をＮＦＶＯに送信する。呼応して、ＮＦＶＯは、ＶＮＦインスタンス化の完了をＮＭに応答する。
【００３８】
図６は、本明細書で論じられる様々な実例によるＶＮＦインスタンス化手順を有する構成管理における動作を例示する図である。図６は、ＶＮＦ終了中に必要とされる（複数の）管理対象オブジェクトインスタンスの属性を変更することを含む、構成管理機能における動作を例示する。
【００３９】
図６を参照すると、ＮＭは、終了されるべきＶＮＦ上で提供されているＶＮＦサービスを終了するようＥＭに要求する。呼応して、ＥＭは、ＶＮＦサービスを終了し（ＶＮＦがサービスを提供している場合）、ＶＮＦサービスの終了を応答する。
【００４０】
ＮＭは、ＶＮＦインスタンスを終了するようにＮＦＶＯに要求を送信する。呼応して、ＮＦＶＯは、ＶＮＦインスタンスを終了するようにＶＮＦＭに要求するとともに、ＶＮＦインスタンスの様々なＶＤＵにより使用される計算（ＶＭ）リソース、保管リソース、及びネットワーキングリソースを削除するようにＶＩＭに要求する。ＮＦＶＯは、ＶＮＦ終了の完了をＮＭに応答する。
【００４１】
ＮＭは、ＶＮＦアプリケーションがサービングゲートウェイであると仮定して、＜＜ＩＯＣ＞＞  ＳｅｒｖｉｎｇＧｗＦｕｎｃｔｉｏｎを削除するようにＥＭに要求する。その後、ＮＭは、無効ＶＮＦパッケージをＮＦＶＯに送信する。呼応して、ＮＦＶＯは、カタログにおける無効にされたＶＮＦパッケージに印を付け、無効にされたＶＮＦパッケージの確認応答をＮＭに送信する。
【００４２】
ＮＭは、無効ＶＮＦパッケージをＮＦＶＯに送信する。呼応して、ＮＦＶＯは、ＶＮＦパッケージがいずれかのＶＮＦインスタンスによって使用されているかどうかを判定してチェックする。ＶＮＦパッケージが使用されている場合、その場合に、ＮＦＶＯは、カタログにおける削除保留中のＶＮＦパッケージに印を付け、ＮＭに確認応答を送信してＶＮＦパッケージが削除保留状態中であることを示す。対照的に、ＶＮＦパッケージが使用されていない場合、その場合に、ＮＦＶＯは、“削除ＶＮＦパッケージ”フローを実行してカタログにおけるＶＮＦパッケージを削除し、ＶＩＭがＮＦＶＩに対する（複数の）ＶＮＦソフトウェアイメージを削除することを可能にする。ＮＦＶＯは、ＮＦＶＯはＶＮＦパッケージの削除を応答し、ＮＭは＜＜ＩＯＣ＞＞  ＭａｎａｇｅｄＥｌｅｍｅｎｔを削除するようにＥＭに要求する。
【００４３】
図７は、本明細書で論じられる様々な実例によるＶＮＦスケーリング手順を有する構成管理における動作を例示する図である。図７は、ＶＮＦスケーリング中に必要とされる（複数の）管理対象オブジェクトインスタンスの属性を変更するための構成管理機能の手順を例示する。
【００４４】
図７を参照すると、ＥＭは、ＶＮＦスケーリングに関してＶＮＦＭに要求を送信する。呼応して、ＶＮＦＭは、ＮＦＶＯと連携して、ＶＩＭが、スケーリング要求によって指示されたように、ＶＭ及び関連するネットワーキングリソースを作成して開始することを可能にする。ＶＮＦＭは、既存のＶＮＦが更新された容量を有することをＥＭに通知する。ＥＭは、ＶＮＦアプリケーションがサービングゲートウェイであると仮定して、ＶＮＦにおける更新された容量を反映するために、＜＜ＩＯＣ＞＞  ＳｅｒｖｉｎｇＧｗＦｕｎｃｔｉｏｎを変更する。最後に、ＥＭは管理対象オブジェクトの変更についてＮＭに通知する。
【００４５】
図８は、本明細書で開示された１つ又は複数の代表的な実施例による無線ネットワーク８００の概略ブロック図の例示である。無線ネットワーク８００の要素のうちの１つ又は複数は、本明細書で開示された主題に従って、ヴィクティム（victim）及びアグレッサ（aggressor）を識別する方法を実施することができる。図８において示されるように、ネットワーク８００は、インターネット８１０への移動無線アクセス及び／又は固定無線アクセスをサポートすることができるインターネットタイプのネットワーク８１０などを含む、インターネットプロトコルタイプ（ＩＰタイプ）ネットワークであってもよい。
【００４６】
１つ又は複数の実例において、ネットワーク８００は、ワイマックス（Worldwide  Interoperability  for  Microwave  Access：ＷｉＭＡＸ）標準又はＷｉＭＡＸの将来の世代に準拠して動作してもよく、１つの特定の例において、米国電気電子学会８０２．１６ベースの標準（例えば、ＩＥＥＥ８０２．１６ｅ）、又はＩＥＥＥ８０２．１１ベースの標準（例えば、ＩＥＥＥ８０２．１１ａ／ｂ／ｇ／ｎ標準）などに準拠していてもよい。１つ又は複数の代替例では、ネットワーク８００は、第３世代パートナーシッププロジェクトロングタームエボリューション（３ＧＰＰ  ＬＴＥ）、３ＧＰＰ２エアインタフェースエボリューション（３ＧＰＰ２  ＡＩＥ）標準、及び／又は３ＧＰＰ  ＬＴＥ−Ａｄｖａｎｃｅｄ標準に準拠していてもよい。一般に、ネットワーク８００は、任意のタイプの直交周波数分割多重アクセスベース（ＯＦＤＭＡベース）の無線ネットワーク、例えば、ＷｉＭＡＸ準拠のネットワーク、Ｗｉ−Ｆｉアライアンス（ＷＦＡ）準拠のネットワーク、デジタル加入者回線型（ＤＳＬ型）ネットワーク、非対称デジタル加入者回線型（ＡＤＳＬ型）ネットワーク、超広帯域（ＵＷＢ）準拠のネットワーク、無線ユニバーサルシリアルバス（ＵＳＢ）準拠のネットワーク、第４世代（４Ｇ）型ネットワークなどを備えることができ、権利請求された主題の範囲はこれらの点に限定されない。
【００４７】
移動無線アクセスの一例として、アクセスサービスネットワーク（ＡＳＮ）８１２は、加入者ステーション（ＳＳ）８１６（本明細書では無線端末とも呼ばれる）とインターネット８１０との間の無線通信を提供するために、基地局（ＢＳ）８１４と結合することができる。一例において、加入者ステーション８１６は、例えば、ノート型コンピュータ、携帯電話、携帯情報端末（personal  digital  assistant）、Ｍ２Ｍ型装置などの、ネットワーク８００を介して無線通信することができるモバイル型装置又は情報処理システムを含むことができる。別の例において、加入者ステーションは、本明細書で開示された主題に従って、他の無線装置において経験される干渉を低減する、アップリンク送信電力制御技術を提供することができる。ＡＳＮ８１２は、ネットワーク８００上の１つ又は複数の物理的エンティティへのネットワーク機能のマッピングを定義することができるプロファイルを実装することができる。基地局８１４は、加入者ステーション８１６との無線周波数（ＲＦ）通信を提供するための無線機器を備えることができるとともに、例えば、ＩＥＥＥ８０２．１６ｅ標準に準拠した物理レイヤ（ＰＨＹ）及び媒体アクセス制御（ＭＡＣ）レイヤ機器を含むことができる。権利請求された主題の範囲はこれらの点に限定されないが、基地局８１４は、ＡＳＮ８１２を介してインターネット８１０に結合するためのＩＰバックプレーンを更に備えることができる。
【００４８】
ネットワーク８００は、１つ又は複数のネットワーク機能を提供することができる訪問先接続性サービスネットワーク（connectivity  service  network：ＣＳＮ）８２４を更に備えることができる。訪問先接続性サービスネットワーク（ＣＳＮ）８２４は、下記には限定されないが、プロキシ及び／又はリレータイプの機能、例えば認証、認可、及び課金（ＡＡＡ）機能、動的ホスト構成プロトコル（ＤＨＣＰ）機能、又はドメインネームサービスコントロール、若しくは同様のもの、公衆電話交換網（ＰＳＴＮ）ゲートウェイ若しくはボイスオーバインターネットプロトコル（ＶｏＩＰ）ゲートウェイのようなドメインゲートウェイ、並びに／又はインターネットプロトコルタイプ（ＩＰタイプ）サーバ機能、若しくは同様のものを含む。しかしながら、これらは、訪問先ＣＳＮ又はホームＣＳＮ８２６によって提供されることができる機能の種類の単なる例であり、権利請求された主題の範囲はこれらの点に限定されない。
【００４９】
訪問先ＣＳＮ８２４は、例えば、訪問先ＣＳＮ８２４が、加入者ステーション８１６の通常のサービスプロバイダの一部ではない場合、例えば、加入者ステーション８１６がホームＣＳＮ８２６のようなそのホームＣＳＮから離れてローミングしている場合、又は例えば、ネットワーク８００が加入者ステーションの通常のサービスプロバイダの一部であるが、しかし、ネットワーク８００が、加入者ステーション８１６のメインロケーション若しくはホームロケーションではない別の場所若しくは別の状態にあり得る場合に、訪問先ＣＳＮと言われ得る。
【００５０】
固定無線構成では、ＷｉＭＡＸタイプの顧客宅内機器（customer  premises  equipment：ＣＰＥ）８２２は、家庭又は会社に配置されることができ、基地局８１４、ＡＳＮ８１２、及び訪問先ＣＳＮ８２４を介した加入者ステーション８１６によるアクセスと同様のやり方で、家庭又は企業の顧客に、基地局８２０、ＡＳＮ８１８、及びホームＣＳＮ８２６を介した、インターネット８１０に対するブロードバンドアクセスを提供することができ、異なる点は、ＷｉＭＡＸ  ＣＰＥ８２２が、異なる位置に移動されても良いが、一般的に固定された場所に配置され、一方、加入者ステーション８１６が例えば基地局８１４の範囲内にある場合、加入者ステーションは１つ又は複数の位置で利用され得るということである。
【００５１】
ＣＰＥ８２２は、必ずしもＷｉＭＡＸタイプの端末を備えていなくてもよく、例えば、本明細書で論じられるような、１つ若しくは複数の標準又はプロトコルに準拠する他のタイプの端末又は装置を含むことができ、一般に、固定装置又はモバイル装置を含むことができることに、留意すべきである。さらに、１つの代表的な実施例では、ＣＰＥ８２２は、本明細書で開示された主題に従って、他の無線装置において経験される干渉を低減するアップリンク送信電力制御技術を提供することができる。
【００５２】
１つ又は複数の実例によれば、オペレーションサポートシステム（ＯＳＳ）８２８は、ネットワーク８００に関する管理機能を提供するとともに、ネットワーク８００の機能エンティティ間のインタフェースを提供するために、ネットワーク８００の一部であってもよい。図８のネットワーク８００は、ネットワーク８００の特定の数の構成要素を示す１つのタイプの無線ネットワークにすぎず、権利請求された主題の範囲はこれらの点に限定されない。
【００５３】
図９及び図１０は、それぞれ、ＵＥとｅＮｏｄｅＢとの間の代表的な無線インタフェースプロトコル構造を示し、無線インタフェースプロトコル構造は、３ＧＰＰタイプの無線アクセスネットワーク標準に基づいているとともに、無線インタフェースプロトコル構造は、本明細書で開示された主題に従って、他の無線装置において経験される干渉を低減するアップリンク送信電力制御技術を提供することができる。より具体的には、図９は、無線プロトコル制御プレーンの個々のレイヤを描写し、図１０は、無線プロトコルユーザプレーンの個々のレイヤを描写する。図９及び図１０のプロトコルレイヤは、通信システムにおいて広く知られているＯＳＩ参照モデルの下位３レイヤに基づいて、Ｌ１レイヤ（第１レイヤ）、Ｌ２レイヤ（第２レイヤ）、Ｌ３レイヤ（第３レイヤ）に分類されることができる。
【００５４】
第１のレイヤ（Ｌ１）である物理（ＰＨＹ）レイヤは、物理チャネルを使用して上位レイヤに対する情報転送サービスを提供する。物理レイヤは、トランスポートチャネルを介して物理レイヤの上に位置する媒体アクセス制御（ＭＡＣ）レイヤに接続される。データは、トランスポートチャネルを介してＭＡＣレイヤとＰＨＹレイヤとの間で転送される。トランスポートチャネルは、チャネルが共有されているか否かに応じて、専用トランスポートチャネルと共有トランスポートチャネルに分類される。異なる物理レイヤ間、特に送信機と受信機のそれぞれの物理レイヤ間のデータ転送は、物理チャネルを介して行われる。
【００５５】
様々なレイヤが、第２レイヤ（Ｌ２レイヤ）に存在する。例えば、ＭＡＣレイヤは、様々な論理チャネルを様々なトランスポートチャネルにマッピングし、様々な論理チャネルを１つのトランスポートチャネルにマッピングするために、論理チャネル多重化を実行する。ＭＡＣレイヤは、論理チャネルを介して、上位レイヤとして機能する無線リンク制御（ＲＬＣ）レイヤに接続される。論理チャネルは、伝送情報のカテゴリに応じて、制御プレーンの情報を伝送するための制御チャネルと、ユーザプレーンの情報を伝送するためのトラフィックチャネルとに分類されることができる。
【００５６】
第２レイヤ（Ｌ２）のＲＬＣレイヤは、上位レイヤから受信したデータに対して分割及び連結を行い、無線区間にデータを伝送する下位レイヤに適しているように、データの大きさを調節する。各無線ベアラ（ＲＢ）により要求される様々なサービス品質（ＱｏＳ）を保証するために、３つの動作モード、すなわちトランスペアレントモード（ＴＭ）、非確認応答モード（ＵＭ）、及び確認応答モード（ＡＭ）が提供される。具体的には、ＡＭ  ＲＬＣは、自動再送要求（Automatic  Repeat  and  Request：ＡＲＱ）機能を用いて再伝送機能を実行し、信頼性の高いデータ伝送を実現する。
【００５７】
第２レイヤ（Ｌ２）のパケットデータ収束プロトコル（Packet  Data  Convergence  Protocol：ＰＤＣＰ）レイヤは、狭い帯域幅を有する無線区間においてＩＰｖ４又はＩＰｖ６パケットなどのＩＰパケットを効率的に伝送するために、比較的大きくかつ不要な制御情報を有するＩＰパケットヘッダのサイズを縮小するためのヘッダ圧縮機能を実行する。その結果、データのヘッダ部に必要な情報のみが伝送されることができ、その結果、無線区間の伝送効率を向上させることができる。また、ＬＴＥベースのシステムでは、ＰＤＣＰレイヤは、第三者がデータを盗聴することを防止するための暗号化機能と、第三者がデータを取り扱うことを防止するための保全性保護機能とを含むセキュリティ機能を実行する。
【００５８】
第３レイヤ（Ｌ３）の上部に位置する無線リソース制御（ＲＲＣ）レイヤは、制御プレーン内でのみ定義されるとともに、無線ベアラ（Radio  Bearers：ＲＢ）の設定、再設定、解放に関連して、論理チャネル、トランスポートチャネル、及び物理チャネルの制御を担当する。ＲＢは、第１レイヤ及び第２レイヤ（Ｌ１及びＬ２）がＵＥとＵＴＲＡＮとの間のデータ通信を提供する論理的経路である。一般に、無線ベアラ（ＲＢ）構成は、特定のサービスを提供するための無線プロトコルレイヤ及びチャネル特性が定義され、それらの詳細なパラメータ及び動作方法が設定される、ということを意味する。無線ベアラ（ＲＢ）は、シグナリングＲＢ（ＳＲＢ）とデータＲＢ（ＤＲＢ）とに分類される。ＳＲＢはＣプレーンにおけるＲＲＣメッセージの伝送路として用いられ、ＤＲＢはＵプレーンにおけるユーザデータの伝送路として用いられる。
【００５９】
ネットワークからＵＥにデータを伝送するためのダウンリンクトランスポートチャネルは、システム情報を伝送するためのブロードキャストチャネル（ＢＣＨ）と、ユーザトラフィック又は制御メッセージを伝送するためのダウンリンク共有チャネル（ＳＣＨ）とに分類されることができる。ダウンリンクマルチキャスト又はブロードキャストサービスのトラフィック若しくは制御メッセージは、ダウンリンクＳＣＨを介して伝送されてもよく、同様に、ダウンリンクマルチキャストチャネル（multicast  channel：ＭＣＨ）を介して伝送されてもよい。ＵＥからネットワークにデータを伝送するためのアップリンクトランスポートチャネルは、初期制御メッセージの伝送のためのランダムアクセスチャネル（Random  Access  Channel：ＲＡＣＨ）と、ユーザトラフィック又は制御メッセージの伝送のためのアップリンクＳＣＨとを含む。
【００６０】
ダウンリンクトランスポートチャネルに転送された情報をＵＥとネットワークとの間の無線区間に伝送するためのダウンリンク物理チャネルは、ＢＣＨ情報を伝送するための物理ブロードキャストチャネル（Physical  Broadcast  Channel：ＰＢＣＨ）、ＭＣＨ情報を伝送するための物理マルチキャストチャネル（Physical  Multicast  Channel：ＰＭＣＨ）、ダウンリンクＳＣＨ情報を伝送するための物理ダウンリンク共有チャネル（Physical  Downlink  Shared  Channel：ＰＤＳＣＨ）、及び第１レイヤ及び第２レイヤ（Ｌ１及びＬ２）から受け取られたＤＬ／ＵＬスケジューリング許可情報のような制御情報を伝送するための物理ダウンリンク制御チャネル（Physical  Downlink  Control  Channel：ＰＤＣＣＨ）（ＤＬ  Ｌ１／Ｌ２制御チャネルとも呼ばれる）に分類される。その一方で、アップリンク伝送チャネルに転送された情報をＵＥとネットワークとの間の無線区間に伝送するためのアップリンク物理チャネルは、アップリンクＳＣＨ情報を伝送するための物理アップリンク共有チャネル（Physical  Uplink  Shared  Channel：ＰＵＳＣＨ）、ＲＡＣＨ情報を伝送するための物理ランダムアクセスチャネル（Physical  Random  Access  Channel）、第１レイヤ及び第２レイヤ（Ｌ１及びＬ２）から受け取られたハイブリッド自動再送要求（Hybrid  Automatic  Repeat  Request：ＨＡＲＱ）ＡＣＫ又はＮＡＣＫスケジューリング要求（Scheduling  Request：ＳＲ）、及びチャネル品質インジケータ（Channel  Quality  Indicator：ＣＱＩ）報告情報のような制御情報を伝送するための物理アップリンク制御チャネル（Physical  Uplink  Control  Channel：ＰＵＣＣＨ）に分類される。
【００６１】
図１１は、本明細書で開示された主題に従って、ＶＮＦライフサイクル管理によって利用される管理対象オブジェクトを自動的に作成、変更、及び削除する技術を実装することができる情報処理システム１１００の代表的な機能ブロック図を描写する。図１１の情報処理システム１１００は、本明細書で示されそして説明されているような、代表的な装置、代表的なネットワーク要素、及び／又はネットワーク若しくはネットワーク管理要素の機能エンティティのうちの任意の１つ又は複数を有形に具体化し得る。一例において、情報処理システム１１００は、ＵＥ１１１若しくはｅＮＢ１１０、及び／又はＷＬＡＮアクセスポイント１２０の構成要素、あるいは、特定の装置若しくはネットワーク要素のハードウェア仕様に応じてより多いか又はより少ない構成要素を有するＮＦＶ−ＭＡＮＯ３００の構成要素を表すことができる。別の例において、様々なメモリ構成要素（例えば、ＳＤＲＡＭ１１１４、ＮＡＮＤフラッシュ１１１６、及び／又はＮＯＲフラッシュ１１１８）は、論理命令であって、論理命令がアプリケーションプロセッサ１１１０によって実行されると、アプリケーションプロセッサにＮＦＶＯ３１０の動作を実行させる論理命令を含む機械読み取り可能な媒体を表すことができる。情報処理システム１１００は、いくつかのタイプのコンピューティングプラットフォームの一例を表しているが、情報処理システム１１００は、図１１において示されているものより、より多いか又はより少ない要素及び／又は要素の異なる構成を含むことができ、権利請求された主題の範囲はこれらの点に限定されない。
【００６２】
１つ又は複数の実例において、情報処理システム１１００は、１つ又は複数のアプリケーションプロセッサ１１１０及びベースバンドプロセッサ１１１２を備えることができる。アプリケーションプロセッサ１１１０は、情報処理システム１１００に関するアプリケーション及び様々なサブシステムを実行するとともに、本明細書で開示された主題に従って、他の無線装置において経験される干渉を低減するアップリンク送信電力制御技術を提供することができる汎用プロセッサとして利用されることができる。アプリケーションプロセッサ１１１０は、単一のコアを含むことができるか、あるいは、複数の処理コアを含むことができ、コアのうちの１つ又は複数は、デジタル信号プロセッサ又はデジタル信号処理コアを含むことができる。さらに、アプリケーションプロセッサ１１１０は、同じチップ上に配置されたグラフィックスプロセッサ若しくはコプロセッサを含むことができるか、又は、その代わりに、アプリケーションプロセッサ１１１０に結合されたグラフィックスプロセッサは、独立した別個のグラフィックスチップを含むことができる。アプリケーションプロセッサ１１１０は、キャッシュメモリなどのオンボードメモリを含むことができ、本明細書で開示された主題に従って、他の無線装置において経験される干渉を低減するアップリンク送信電力制御技術を提供することができるようなアプリケーションを記憶及び／又は実行するために、シンクロナスダイナミックランダムアクセスメモリ（synchronous  dynamic  random  access  memory：ＳＤＲＡＭ）１１１４などの外部メモリデバイスに更に結合されてもよい。動作中、そして情報処理システム１１００の電源が切られている場合でも、アプリケーション及び／又はデータを記憶するためのＮＡＮＤフラッシュ１１１６を含む。
【００６３】
一例において、候補ノードのリストが、ＳＤＲＡＭ１１１４及び／又はＮＡＮＤフラッシュ１１１６に記憶されることができる。さらに、アプリケーションプロセッサ１１１０は、ＳＤＲＡＭ１１１４及び／又はＮＡＮＤフラッシュ１１１６に記憶されたコンピュータ読み取り可能な命令を実行して、ここに開示される主題に従って、他の無線装置において経験される干渉を低減するアップリンク送信電力制御技術をもたらすことができる。
【００６４】
一例において、ベースバンドプロセッサ１１１２は、情報処理システム１１００に関する広帯域無線機能を制御することができる。ベースバンドプロセッサ１１１２は、このような広帯域無線機能を制御するためのコードを、ＮＯＲフラッシュ１１１８に記憶することができる。ベースバンドプロセッサ１１１２は、例えば図１１に関して本明細書で論じたような３ＧＰＰ  ＬＴＥネットワークなどを介して通信するために、広帯域ネットワーク信号を変調及び／又は復調するために使用される無線広域ネットワーク（wireless  wide  area  network：ＷＷＡＮ）トランシーバ１１２０を制御する。ＷＷＡＮトランシーバ１１２０は、ＷＷＡＮ広帯域ネットワークを介して無線周波数信号を送信及び受信するために１つ又は複数のアンテナ１１２４にそれぞれ結合された、１つ又は複数の電力増幅器１１２２に結合する。ベースバンドプロセッサ１１１２は、同様に、１つ又は複数の適切なアンテナ１１２８に結合された無線ローカルエリアネットワーク（wireless  local  area  network：ＷＬＡＮ）トランシーバ１１２６を制御することができ、無線ローカルエリアネットワークトランシーバ１１２６は、ブルートゥース（登録商標）ベースの標準、ＩＥＥＥ８０２．１１ベースの標準、ＩＥＥＥ８０２．１６ベースの標準、ＩＥＥＥ８０２．１８ベースの無線ネットワーク標準、３ＧＰＰベースプロトコルの無線ネットワーク、第３世代パートナーシッププロジェクトロングタームエボリューション（３ＧＰＰ  ＬＴＥ）ベースの無線ネットワーク標準、３ＧＰＰ２エアインタフェースエボリューション（３ＧＰＰ２  ＡＩＥ）ベースの無線ネットワーク標準、３ＧＰＰ−ＬＴＥ−Ａｄｖａｎｃｅｄベースの無線ネットワーク、ＵＭＴＳベースプロトコルの無線ネットワーク、ＣＤＭＡ２０００ベースプロトコルの無線ネットワーク、ＧＳＭ（登録商標）ベースプロトコルの無線ネットワーク、セルラデジタルパケットデータベース（ＣＤＰＤベース）プロトコルの無線ネットワーク、Ｍｏｂｉｔｅｘベースプロトコルの無線ネットワーク、近距離無線通信ベース（ＮＦＣベース）のリンク、ＷｉＧｉｇベースのネットワーク、ジグビー（ZigBee）ベースのネットワークなどを介して通信することができ得る。これらは、アプリケーションプロセッサ１１１０及びベースバンドプロセッサ１１１２の単なる代表的な実装例であり、権利請求された主題の範囲はこれらの点に限定されないことに、留意すべきである。例えば、ＳＤＲＡＭ１１１４、ＮＡＮＤフラッシュ１１１６、及び／又はＮＯＲフラッシュ１１１８のうちの任意の１つ若しくは複数は、磁気ベースの（magnetic-based）メモリ、カルコゲン化合物ベースの（chalcogenide-based）メモリ、相変化ベースの（phase-change-based）メモリ、光ベースの（optical-based）メモリ、又はオボニックベースの（ovonic-based）メモリなどの他のタイプのメモリ技術を含むことができ、権利請求された主題の範囲はこの点に限定されない。
【００６５】
１つ又は複数の実施例において、アプリケーションプロセッサ１１１０は、様々な情報又はデータを表示するためのディスプレイ１１３０を駆動することができ、タッチスクリーン１１３２を介して、例えば指又はスタイラスを介して、ユーザからのタッチ入力を更に受け取ることができる。１つの代表的な実施例において、スクリーン１１３２は、指及び／又はスタイラスを介して選択可能な、情報処理システム１１００に情報を入力するためのメニュー及び／又はオプションをユーザに表示する。
【００６６】
周囲光センサ１１３４は、例えば周囲光センサ１１３４によって検出された周囲光の強度の関数としてディスプレイ１１３０の輝度又はコントラスト値を制御するように、情報処理システム１１００が動作している周囲光の量を検出するために利用され得る。１つ又は複数のカメラ１１３６は、アプリケーションプロセッサ１１１０によって処理されるか、及び／又は少なくともＮＡＮＤフラッシュ１１１６に一時的に記憶される画像を取り込むために利用され得る。さらに、アプリケーションプロセッサは、情報処理システム１１００の位置、動き、及び／又は向きを含む様々な環境特性の検出のために、ジャイロスコープ１１３８、加速度計１１４０、磁力計１１４２、オーディオコーダ／デコーダ（ＣＯＤＥＣ）１１４４、及び／又は適切なグローバルポジショニングシステム（ＧＰＳ）アンテナ１１４８に結合されたＧＰＳコントローラ１１４６に結合され得る。その代わりに、コントローラ１１４６は、グローバルナビゲーション衛星システム（Global  Navigation  Satellite  System：ＧＮＳＳ）コントローラを備えてもよい。オーディオＣＯＤＥＣ１１４４は、１つ又は複数のオーディオポート１１５０に結合されることができ、内部装置、及び／又はオーディオポート１１５０によって、例えばヘッドフォン及びマイクロホンジャックによって情報処理システムに結合された外部装置を介して、マイクロフォン入力及びスピーカ出力を提供する。また、アプリケーションプロセッサ１１１０は、ユニバーサルシリアルバス（ＵＳＢ）ポート、高精細マルチメディアインターフェイス（ＨＤＭＩ（登録商標））ポート、シリアルポートなどの１つ又は複数のＩ／Ｏポート１１５４に結合するために、１つ又は複数の入出力（Ｉ／Ｏ）トランシーバ１１５２に結合し得る。権利請求された主題の範囲はこれらの点に限定されないが、さらに、Ｉ／Ｏトランシーバ１１５２のうちの１つ又は複数は、セキュアデジタル（ＳＤ）カード又は加入者識別モジュール（ＳＩＭ）カードなどの任意のリムーバブルメモリのための１つ又は複数のメモリスロット１１５６に結合することができる。
【００６７】
図１２は、図１１の情報処理システムの代表的な実施例の等角図を描写し、情報処理システムは、本明細書で開示された１つ又は複数の実施例によるタッチスクリーンを任意に含むことができる。図１１は、携帯電話、スマートフォン、スマート型装置、又はタブレット型装置などとして有形に具体化された情報処理システム１２００の一例の実装例を示し、情報処理システムは、本明細書で開示される主題に従って、ヴィクティム（victim）及びアグレッサ（aggressor）を識別する方法を実施することができる。１つ又は複数の実施例において、情報処理システムは、１つ又は複数のアプリケーションプロセッサ１１１０を制御するために、ユーザの指１２１６を介して、及び／又はスタイラス１２１８を介して、触覚入力制御及びコマンドを受け取るためのタッチスクリーン１０３２を含み得る、ディスプレイ１０３０を有するハウジング１２１０を含む。ハウジング１２１０は、情報処理システム１０００の１つ又は複数の構成要素、例えば１つ若しくは複数のアプリケーションプロセッサ１１１０、１つ若しくは複数のＳＤＲＡＭ１１１４、ＮＡＮＤフラッシュ１１１６、ＮＯＲフラッシュ１１１８、ベースバンドプロセッサ１１１２、及び／又はＷＷＡＮトランシーバ１１２０を収容することができる。また、情報処理システム１２００は、１つ若しくは複数のボタン又はスイッチを介して情報処理システム１０００を制御するためのキーボード又はボタンを含み得る物理的アクチュエータ領域１２２０を更に任意に含むことができる。情報処理システム１０００は、同様に、例えばセキュアデジタル（ＳＤ）カード又は加入者識別モジュール（ＳＩＭ）カードの形態のフラッシュメモリなどの不揮発性メモリを受容するためのメモリポート又はスロット１０５６を含むことができる。任意に、情報処理システム１０００は、１つ若しくは複数のスピーカ及び／又はマイクロホン１２２４、そして情報処理システム１２００を別の電子装置、ドック、ディスプレイ、バッテリ充電器などに接続するための接続ポート１２５４を更に含むことができる。さらに、情報処理システム１２００は、ハウジング１２１０の１つ又は複数の側面に、ヘッドホン又はスピーカジャック１２２８、及び１つ又は複数のカメラ１２３６を含むことができる。図１２の情報処理システム１２００は、図示されているものより、より多いか又はより少ない要素を様々な構成で含むことができ、権利請求された主題の範囲はこの点に限定されないことに、留意すべきである。
【００６８】
ここで使用されるように、“回路”という用語は、特定用途向け集積回路（ＡＳＩＣ）、電子回路、１つ若しくは複数のソフトウェア又はファームウェアプログラムを実行するプロセッサ（共有、専用、若しくはグループ）及び／又はメモリ（共有、専用、若しくはグループ）、組み合わせ論理回路、そして／あるいは、説明された機能を提供する他の適切なハードウェアコンポーネントのことを指し得るか、これらの一部であり得るか、又はこれらを含み得る。いくつかの実施例において、回路は、１つ若しくは複数のソフトウェア又はファームウェアモジュールで実装され得るか、あるいは、回路に関連する機能は、１つ若しくは複数のソフトウェア又はファームウェアモジュールによって実装され得る。いくつかの実施例において、回路は、少なくとも部分的にハードウェアで動作可能な論理を含むことができる。
【００６９】
本明細書で説明される実施例は、任意の適切に構成されたハードウェア及び／又はソフトウェアを使用するシステムに実装されてもよい。図１３は、一実施例についての、ユーザ機器（ＵＥ）装置１３００の代表的な構成要素を例示する。いくつかの実施例において、ＵＥ装置１３００は、少なくとも図示されるように一緒に結合された、アプリケーション回路１３０２、ベースバンド回路１３０４、無線周波数（ＲＦ）回路１３０６、フロントエンドモジュール（ＦＥＭ）回路１３０８、及び１つ又は複数のアンテナ１３１０を含むことができる。
【００７０】
アプリケーション回路１３０２は、１つ又は複数のアプリケーションプロセッサを含むことができる。例えば、アプリケーション回路１３０２は、下記には限定されないが、１つ若しくは複数のシングルコア又はマルチコアプロセッサなどの回路を含むことができる。（複数の）プロセッサは、汎用プロセッサと専用プロセッサ（例えば、グラフィックプロセッサ、アプリケーションプロセッサなど）の任意の組み合わせを含むことができる。プロセッサは、メモリ／ストレージと結合されてもよく、及び／又はメモリ／ストレージを含んでもよく、様々なアプリケーション及び／又はオペレーティングシステムがシステム上で動作することを可能にするために、メモリ／ストレージに記憶された命令を実行するように構成されてもよい。
【００７１】
ベースバンド回路１３０４は、下記には限定されないが、１つ若しくは複数のシングルコア又はマルチコアプロセッサなどの回路を含むことができる。ベースバンド回路１３０４は、ＲＦ回路１３０６の受信信号経路から受信したベースバンド信号を処理し、そしてＲＦ回路１３０６の送信信号経路用のベースバンド信号を生成するために、１つ若しくは複数のベースバンドプロセッサ及び／又は制御論理回路（control  logic：制御ロジック）を含むことができる。ベースバンド処理回路１３０４は、ベースバンド信号の生成及び処理のために、並びにＲＦ回路１３０６の動作を制御するために、アプリケーション回路１３０２とインタフェースすることができる。例えば、いくつかの実施例において、ベースバンド回路１３０４は、第２世代（２Ｇ）ベースバンドプロセッサ１３０４ａ、第３世代（３Ｇ）ベースバンドプロセッサ１３０４ｂ、第４世代（４Ｇ）ベースバンドプロセッサ１３０４ｃ、及び／又は、他の既存の世代、（例えば、第５世代（５Ｇ）、６Ｇなど）開発中であるか又は将来開発されるべき世代のための（複数の）他のベースバンドプロセッサ１３０４ｄを含むことができる。ベースバンド回路１３０４（例えば、ベースバンドプロセッサ１３０４ａ〜１３０４ｄのうちの１つ又は複数）は、ＲＦ回路１３０６を介して１つ又は複数の無線ネットワークとの通信を可能にする様々な無線制御機能を処理することができる。無線制御機能は、下記には限定されないが、信号変調／復調、符号化／復号、無線周波数シフトなどを含むことができる。いくつかの実施例において、ベースバンド回路１３０４の変調／復調回路は、高速フーリエ変換（ＦＦＴ）、プリコーディング（precoding）、及び／又はコンステレーションマッピング／デマッピングの機能を含むことができる。いくつかの実施例において、ベースバンド回路１３０４の符号化／復号回路は、畳み込み、テールバイティング畳み込み（tail-biting
convolution）、ターボ、ビタビ、及び／又は低密度パリティチェック（Low  Density  Parity  Check：ＬＤＰＣ）の符号化／復号機能を含むことができる。変調／復調及び符号化／復号機能の実施例は、これらの実例に限定されず、他の実施例において他の適切な機能を含むことができる。
【００７２】
いくつかの実施例において、ベースバンド回路１３０４は、例えば物理（ＰＨＹ）、媒体アクセス制御（ＭＡＣ）、無線リンク制御（ＲＬＣ）、パケットデータ収束プロトコル（packet  data  convergence  protocol：ＰＤＣＰ）、及び／又は無線リソース制御（ＲＲＣ）の要素を含んでいる、例えば進化型ユニバーサル地上無線アクセスネットワーク（ＥＵＴＲＡＮ）プロトコルの要素などの、プロトコルスタックの要素を含むことができる。ベースバンド回路１３０４の中央処理装置（ＣＰＵ）１３０４ｅは、ＰＨＹ、ＭＡＣ、ＲＬＣ、ＰＤＣＰ、及び／又はＲＲＣレイヤのシグナリングのためのプロトコルスタックの要素を実行するように構成されることができる。いくつかの実施例において、ベースバンド回路は、１つ又は複数のオーディオデジタル信号プロセッサ（digital  signal  processor：ＤＳＰ）１３０４ｆを含むことができる。（複数の）オーディオＤＳＰ１３０４ｆは、圧縮／復元及びエコー消去のための要素を含むことができるとともに、他の実施例において他の適切な処理要素を含むことができる。ベースバンド回路の構成要素は、いくつかの実施例では、適切に、単一チップ、単一チップセットに組み込まれるか、又は同じ回路基板上に配置されることができる。いくつかの実施例において、ベースバンド回路１３０４及びアプリケーション回路１３０２の構成要素の一部又は全部は、例えば、システムオンチップ（system  on  a  chip：ＳＯＣ）などに一緒に実装されてもよい。
【００７３】
いくつかの実施例において、ベースバンド回路１３０４は、１つ又は複数の無線技術と互換性のある通信を提供することができる。例えば、いくつかの実施例において、ベースバンド回路１３０４は、進化型ユニバーサル地上無線アクセスネットワーク（ＥＵＴＲＡＮ）、及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路１３０４が複数の無線プロトコルの無線通信をサポートするように構成された実施例は、マルチモードベースバンド回路と呼ばれ得る。
【００７４】
ＲＦ回路１３０６は、非固体媒体（non-solid  medium）を介して、変調された電磁放射線（electromagnetic  radiation）を使用して、無線ネットワークと通信することを可能にすることができる。各種の実施例において、ＲＦ回路１３０６は、スイッチ、フィルタ、増幅器などを含み、無線ネットワークとの通信を容易にすることができる。ＲＦ回路１３０６は、ＦＥＭ回路１３０８から受け取られたＲＦ信号をダウンコンバートし、ベースバンド回路１３０４にベースバンド信号を提供する回路を含み得る受信信号経路を含むことができる。ＲＦ回路１３０６は、同様に、ベースバンド回路１３０４により提供されるベースバンド信号をアップコンバートし、送信のためにＦＥＭ回路１３０８にＲＦ出力信号を提供する回路を含み得る送信信号経路を含むことができる。
【００７５】
いくつかの実施例において、ＲＦ回路１３０６は、受信信号経路及び送信信号経路を含むことができる。ＲＦ回路１３０６の受信信号経路は、ミキサ回路１３０６ａ、増幅回路１３０６ｂ、及びフィルタ回路１３０６ｃを含むことができる。ＲＦ回路１３０６の送信信号経路は、フィルタ回路１３０６ｃ、及びミキサ回路１３０６ａを含むことができる。ＲＦ回路１３０６は、同様に、受信信号経路及び送信信号経路のミキサ回路１３０６ａによって使用される周波数を合成するためのシンセサイザ回路（synthesizer  circuitry）１３０６ｄを含むことができる。いくつかの実施例において、受信信号経路のミキサ回路１３０６ａは、シンセサイザ回路１３０６ｄにより提供された合成周波数に基づいて、ＦＥＭ回路１３０８から受け取られたＲＦ信号をダウンコンバートするように構成され得る。増幅回路１３０６ｂは、ダウンコンバートされた信号を増幅するように構成され得るとともに、フィルタ回路１３０６ｃは、ダウンコンバートされた信号から不要な信号を除去し、出力ベースバンド信号を生成するように構成されたローパスフィルタ（ＬＰＦ）又はバンドパスフィルタ（ＢＰＦ）であり得る。出力ベースバンド信号は、更なる処理のためにベースバンド回路１３０４に供給されてもよい。いくつかの実施例において、出力ベースバンド信号は、ゼロ周波数のベースバンド信号であってもよいが、これは必要条件ではない。いくつかの実施例において、受信信号経路のミキサ回路１３０６ａは、パッシブミキサを含むことができるが、実施例の範囲はこの点に限定されない。
【００７６】
いくつかの実施例において、送信信号経路のミキサ回路１３０６ａは、シンセサイザ回路１３０６ｄにより提供された合成周波数に基づいて、入力ベースバンド信号をアップコンバートし、ＦＥＭ回路１３０８のためのＲＦ出力信号を生成するように構成され得る。ベースバンド信号は、ベースバンド回路１３０４により提供されてもよく、そしてフィルタ回路１３０６ｃによりフィルタリングされてもよい。フィルタ回路１３０６ｃは、ローパスフィルタ（ＬＰＦ）を含むことができるが、実施例の範囲はこの点に限定されない。
【００７７】
いくつかの実施例において、受信信号経路のミキサ回路１３０６ａ及び送信信号経路のミキサ回路１３０６ａは、２つ以上のミキサを含むことができるとともに、それぞれ、直交ダウンコンバージョン及び／又は直交アップコンバージョンのために配置されることができる。いくつかの実施例において、受信信号経路のミキサ回路１３０６ａ及び送信信号経路のミキサ回路１３０６ａは、２つ以上のミキサを含むことができるとともに、イメージ除去（例えば、ハートレーイメージ除去）のために配置されることができる。いくつかの実施例において、受信信号経路のミキサ回路１３０６ａ及び送信信号経路のミキサ回路１３０６ａは、それぞれ、直接ダウンコンバージョン及び／又は直接アップコンバージョンのために配置されることができる。いくつかの実施例において、受信信号経路のミキサ回路１３０６ａ及び送信信号経路のミキサ回路１３０６ａは、スーパーヘテロダイン動作用に構成されることができる。
【００７８】
いくつかの実施例において、出力ベースバンド信号及び入力ベースバンド信号は、アナログベースバンド信号であってもよいが、実施例の範囲はこの点に限定されない。いくつかの代替の実施例では、出力ベースバンド信号及び入力ベースバンド信号は、デジタルベースバンド信号であってもよい。これらの代替の実施例では、ＲＦ回路１３０６は、アナログ−デジタル変換器（ＡＤＣ）及びデジタル−アナログ変換器（ＤＡＣ）回路を含むことができるとともに、ベースバンド回路１３０４は、ＲＦ回路１３０６と通信するためのデジタルベースバンドインタフェースを含むことができる。
【００７９】
いくつかのデュアルモードの実施例では、別個の無線ＩＣ回路が各スペクトルの信号を処理するために設けられてもよいが、実施例の範囲はこの点に限定されない。
【００８０】
いくつかの実施例において、シンセサイザ回路１３０６ｄは、Ｎ分周シンセサイザ又はＮ／Ｎ＋１分周シンセサイザであってもよいが、他のタイプの周波数シンセサイザが適切であり得るように、実施例の範囲はこの点に限定されない。例えば、シンセサイザ回路１３０６ｄは、デルタ−シグマシンセサイザ、周波数逓倍器、又は、分周器を備えた位相同期ループを含むシンセサイザであってもよい。
【００８１】
シンセサイザ回路１３０６ｄは、周波数入力及び分周器制御入力に基づいて、ＲＦ回路１３０６のミキサ回路１３０６ａにより使用される出力周波数を合成するように構成されてもよい。いくつかの実施例において、シンセサイザ回路１３０６ｄは、Ｎ／Ｎ＋１分周シンセサイザであってもよい。
【００８２】
いくつかの実施例において、周波数入力は電圧制御発振器（ＶＣＯ）により提供されてもよいが、これは必要条件ではない。分周器制御入力は、所望の出力周波数に応じて、ベースバンド回路１３０４又はアプリケーションプロセッサ１３０２のいずれかにより提供されてもよい。いくつかの実施例において、分周器制御入力（例えば、Ｎ）は、アプリケーションプロセッサ１３０２により示されるチャネルに基づいて、ルックアップテーブルから決定されてもよい。
【００８３】
ＲＦ回路１３０６のシンセサイザ回路１３０６ｄは、分周器、遅延同期ループ（ＤＬＬ）、マルチプレクサ、及び位相アキュムレータを含むことができる。いくつかの実施例において、分周器は、二重係数分周器（dual  modulus  divider：ＤＭＤ）であり得るとともに、位相アキュムレータは、デジタル位相アキュムレータ（digital  phase  accumulator：ＤＰＡ）であり得る。いくつかの実施例において、ＤＭＤは、分数分周比を提供するために、入力信号をＮ又はＮ＋１のいずれかによって（例えば、桁上げに基づいて）分周するように構成されてもよい。いくつかの例示的な実施例では、ＤＬＬは、カスケード接続された、調整可能な、遅延素子、位相検出器、チャージポンプ、及びＤ型フリップフロップのセットを含むことができる。これらの実施例では、遅延素子は、ＶＣＯ期間をＮｄ個の等しい位相パケットに分割するように構成されることができ、ここで、Ｎｄは遅延線における遅延素子の数である。このように、ＤＬＬは、負帰還を提供し、遅延線を通る合計遅延が１ＶＣＯサイクルであることを保証するのを支援する。
【００８４】
いくつかの実施例において、シンセサイザ回路１３０６ｄは、出力周波数としてキャリア周波数を生成するように構成されてもよく、一方、他の実施例では、出力周波数は、搬送波周波数の倍数（例えば、搬送波周波数の２倍、搬送波周波数の４倍）であってもよく、互いに異なる複数の位相を有する、搬送波周波数における複数の信号を生成するために、直交ジェネレータ及び分周器回路と共に使用される。いくつかの実施例において、出力周波数は、ＬＯ周波数（ｆＬＯ）であってもよい。いくつかの実施例において、ＲＦ回路１３０６は、ＩＱ／極性コンバータを含むことができる。
【００８５】
ＦＥＭ回路１３０８は、受信信号経路を含むことができ、受信信号経路は、１つ又は複数のアンテナ１３１０から受け取られたＲＦ信号に対して動作し、受信信号を増幅し、そして更なる処理のために、受信信号の増幅されたバージョンをＲＦ回路１３０６に供給するように構成された回路を含み得る。ＦＥＭ回路１３０８は、同様に、送信信号経路を含むことができ、送信信号経路は、１つ又は複数のアンテナ１３１０のうちの１つ又は複数による送信のために、ＲＦ回路１３０６により提供される送信用の信号を増幅するように構成された回路を含み得る。
【００８６】
いくつかの実施例において、ＦＥＭ回路１３０８は、送信モード動作と受信モード動作との間を切り替えるためのＴＸ／ＲＸスイッチを含むことができる。ＦＥＭ回路は、受信信号経路及び送信信号経路を含むことができる。ＦＥＭ回路の受信信号経路は、受け取られたＲＦ信号を増幅して、増幅された受信ＲＦ信号を出力として（例えば、ＲＦ回路１３０６に）供給する、低ノイズ増幅器（ＬＮＡ）を含むことができる。ＦＥＭ回路１３０８の送信信号経路は、（例えば、ＲＦ回路１３０６により提供される）入力ＲＦ信号を増幅する電力増幅器（ＰＡ）と、（例えば、１つ又は複数のアンテナ１３１０のうちの１つ又は複数による）その後の送信のためのＲＦ信号を生成する１つ又は複数のフィルタとを含むことができる。
【００８７】
いくつかの実施例において、ＵＥ装置１３００は、例えば、メモリ／ストレージ、ディスプレイ、カメラ、センサ、及び／又は入出力（Ｉ／Ｏ）インタフェースなどの追加の要素を含むことができる。
【００８８】
下記は、更なる実例と関係がある。
【００８９】
実例１は、ネットワーク機能仮想化（ＮＦＶ）ライフサイクル管理（ＬＣＭ）動作を促進するように動作可能なネットワーク機能仮想化オーケストレータ（ＮＦＶＯ）であって、当該ＮＦＶＯは、ネットワークマネージャ（ＮＭ）からライフサイクル管理コマンド（ＬＣＭＣ）を受信してＬＣＭ動作を開始し、ＬＣＭＣに応答して、ＬＣＭ状態テーブルに少なくとも部分的に基づいて実行されるべきＬＣＭ動作を決定し、ＬＣＭ動作の実行後に移行するべきＬＣＭ状態を決定し、１つ若しくは複数の仮想化ネットワーク機能（ＶＮＦ）ソフトウェアイメージを、ＮＦＶインフラストラクチャ（ＮＦＶＩ）にアップロードするか、又はＮＦＶインフラストラクチャ（ＮＦＶＩ）から削除し、そしてＮＦＶＩにおいて、１つ若しくは複数の仮想マシン（ＶＭ）及び関連するネットワーキングリソースを作成するか又は削除するように、仮想化インフラストラクチャマネージャ（ＶＩＭ）に要求を送信し、所与のＶＮＦインスタンスに関する１つ若しくは複数の仮想化リソースの成功した割り当て又は削除の後で、ＶＩＭから確認応答を受信し、ＬＣＭ動作が完了した後で、ネットワークマネージャ（ＮＭ）に、ＮＭが１つ又は複数の構成管理（ＣＭ）動作を実行することを可能にする確認応答を送信するための処理回路を備える。
【００９０】
実例２において、実例１の主題は、任意に、ＬＣＭＣが、オンボードＶＮＦパッケージ、無効ＶＮＦパッケージ、有効ＶＮＦパッケージ、更新ＶＮＦパッケージ、クエリＶＮＦパッケージ、削除ＶＮＦパッケージ、ＶＮＦインスタンス化、ＶＮＦ終了、又はＶＮＦスケーリングのうちの少なくとも１つを含む、構成を含むことができる。
【００９１】
実例３において、実例１から実例２のいずれか１つの主題は、任意に、ＬＣＭ状態が、ＶＮＦパッケージ無効状態、ＶＮＦパッケージ有効状態、又はＶＮＦパッケージ削除保留状態のうちの少なくとも１つを含む、構成を含むことができる。
【００９２】
実例４において、実例１から実例３のいずれか１つの主題は、任意に、ＶＮＦパッケージがまだオンボードされていない場合に、処理回路が、１つ又は複数のＶＮＦソフトウェアイメージを含むオンボードＶＮＦパッケージコマンドをＮＭから受信し、ＶＮＦパッケージに応答して、１つ又は複数のＶＮＦソフトウェアイメージをＮＦＶＩにアップロードするように、ＶＩＭに要求し、ＮＦＶＩに対する１つ又は複数のＶＮＦソフトウェアイメージのアップロードの後で、ＭａｎａｇｅｄＥｌｅｍｅｎｔオブジェクトを作成するようにＮＭがエレメントマネージャ（ＥＭ）に要求することを可能にする確認応答を、ＮＭに送信し、ＬＣＭ状態をＶＮＦパッケージ無効状態に変更するようにＮＦＶＯを設定する、構成を含むことができる。
【００９３】
実例５において、実例１から実例４のいずれか１つの主題は、任意に、ＬＣＭがＶＮＦパッケージ無効状態にある場合に、処理回路が、ＮＭから有効ＶＮＦパッケージコマンドを受信し、カタログにおける有効にされたＶＮＦパッケージに印を付け、ＮＭに確認応答を送信してＶＮＦパッケージが有効であることを示し、ＬＣＭ状態をＶＮＦパッケージ有効状態に変更するようにＮＦＶＯを設定する、構成を含むことができる。
【００９４】
実例６において、実例１から実例５のいずれか１つの主題は、任意に、ＬＣＭがＶＮＦパッケージ有効状態にある場合に、処理回路が、ＮＭからＶＮＦインスタンス化コマンドを受信し、ＮＦＶＩにおいて、仮想マシン（ＶＭ）及び関連するネットワーキングリソースを作成して開始するように、ＶＩＭに要求し、ＶＮＦインスタンスＩＤによって識別されるＶＮＦインスタンスの成功したインスタンス化の後で、ＭａｎａｇｅｄＥｌｅｍｅｎｔオブジェクトの中に名前が含まれているＶＮＦオブジェクトを作成し、ＶＮＦオブジェクトにおける属性をＶＮＦインスタンスＩＤに初期化するようにＮＭがエレメントマネージャ（ＥＭ）に要求することを可能にする確認応答を、ＮＭに送信するようにＮＦＶＯを設定する、構成を含むことができる。
【００９５】
実例７において、実例１から実例６のいずれか１つの主題は、任意に、ＬＣＭがＶＮＦパッケージ有効状態にある場合に、処理回路が、ＮＭからＶＮＦ終了コマンドを受信して、ＶＮＦインスタンスＩＤによって識別される既存のＶＮＦインスタンスを終了し、ＮＦＶＩにおいて、１つ又は複数の仮想マシン（ＶＭ）及び関連するネットワーキングリソースを削除するように、ＶＩＭに要求し、成功したＶＮＦの終了後に、ＶＮＦを削除するようにＮＭがエレメントマネージャ（ＥＭ）に要求することを可能にすることになる確認応答を、ＮＭに送信するようにＮＦＶＯを設定する、構成を含むことができる。
【００９６】
実例８において、実例１から実例７のいずれか１つの主題は、任意に、ＬＣＭがＶＮＦパッケージ有効状態にあり、処理回路が、ＮＭから無効ＶＮＦパッケージコマンドを受信し、カタログにおける無効にされたＶＮＦパッケージに印を付け、ＮＭに確認応答を送信してＶＮＦパッケージが無効であることを示し、ＬＣＭ状態をＶＮＦパッケージ無効状態に変更するようにＮＦＶＯを設定する、構成を含むことができる。
【００９７】
実例９において、実例１から実例８のいずれか１つの主題は、任意に、ＬＣＭがＶＮＦパッケージ無効状態にあるとともに、ＶＮＦパッケージがあらゆるＶＮＦインスタンスによって使用されていない場合に、処理回路が、ＮＭから削除ＶＮＦパッケージコマンドを受信し、カタログにおけるＶＮＦパッケージを削除し、ＮＦＶＩにおいて、１つ又は複数のＶＮＦソフトウェアイメージを削除するように、ＶＩＭに要求を送信し、ＶＮＦソフトウェアイメージの成功した削除の後で、ＭａｎａｇｅｄＥｌｅｍｅｎｔオブジェクトを削除するようにＮＭがエレメントマネージャ（ＥＭ）に要求することを可能にする確認応答を、ＮＭに送信するようにＮＦＶＯを設定する、構成を含むことができる。
【００９８】
実例１０において、実例１から実例９のいずれか１つの主題は、任意に、ＬＣＭがＶＮＦパッケージ無効状態にあるとともに、ＶＮＦパッケージが１つ又は複数のＶＮＦインスタンスによって使用されている場合に、処理回路が、ＮＭから削除ＶＮＦパッケージコマンドを受信し、カタログにおける削除保留中のＶＮＦパッケージに印を付け、ＮＭに確認応答を送信してＶＮＦパッケージが削除保留中であることを示し、ＬＣＭ状態をＶＮＦパッケージ削除保留状態に変更するようにＮＦＶＯを設定する、構成を含むことができる。
【００９９】
実例１１において、実例１から実例１０のいずれか１つの主題は、任意に、ＬＣＭがＶＮＦパッケージ無効状態にあるとともに、ＶＮＦパッケージが１つ又は複数のＶＮＦインスタンスによって使用されている場合に、処理回路が、ＮＭからＶＮＦ終了コマンドを受信し、ＮＦＶＩにおいて、１つ又は複数の仮想マシン（ＶＭ）及び関連するネットワーキングリソースを削除するように、ＶＩＭに要求し、成功したＶＮＦの終了後に、ＶＮＦを削除するようにＮＭがエレメントマネージャ（ＥＭ）に要求することを可能にすることになる確認応答を、ＮＭに送信するようにＮＦＶＯを設定する、構成を含むことができる。
【０１００】
実例１２において、実例１から実例１１のいずれか１つの主題は、任意に、ＬＣＭがＶＮＦパッケージ削除保留状態にあり、ＶＮＦパッケージが２つ以上のＶＮＦインスタンスによって使用されている場合に、処理回路が、ＮＭからＶＮＦ終了コマンドを受信し、ＮＦＶＩにおいて、１つ又は複数の仮想マシン（ＶＭ）及び関連するネットワーキングリソースを削除するように、ＶＩＭに要求し、成功したＶＮＦの終了後に、ＶＮＦを削除するようにＮＭがエレメントマネージャ（ＥＭ）に要求することを可能にすることになる確認応答を、ＮＭに送信するようにＮＦＶＯを設定する、構成を含むことができる。
【０１０１】
実例１３において、実例１から実例１２のいずれか１つの主題は、任意に、ＬＣＭがＶＮＦパッケージ削除保留状態にあり、ＶＮＦパッケージが１つのＶＮＦインスタンスによって使用され、処理回路が、ＮＭからＶＮＦ終了コマンドを受信して、ＶＮＦパッケージを使用するＶＮＦインスタンスを終了し、カタログにおけるＶＮＦパッケージを削除し、ＮＦＶＩにおいて、仮想マシン（ＶＭ）、関連するネットワーキングリソース、及び１つ又は複数のＶＮＦソフトウェアイメージを削除するように、ＶＩＭに要求し、成功したＶＮＦの終了及びＶＮＦパッケージの削除後に、ＶＮＦ及びＭａｎａｇｅｄＥｌｅｍｅｎｔオブジェクトを削除するようにＮＭがエレメントマネージャ（ＥＭ）に要求することを可能にすることになる確認応答を、ＮＭに送信するようにＮＦＶＯを設定する、構成を含むことができる。
【０１０２】
実例１４は、ネットワーク機能仮想化（ＮＦＶ）ライフサイクル管理（ＬＣＭ）動作を促進する仮想化ネットワーク機能マネージャ（ＶＮＦＭ）であって、当該ＶＮＦＭは、所与のＶＮＦインスタンスをスケールする要求をエレメントマネージャ（ＥＭ）から受信し、スケールする要求によって指示されるように、ＶＭ及び関連するネットワーキングリソースを作成して開始する要求をＶＩＭに送信し、所与のＶＮＦインスタンスに関する仮想化リソースの成功したスケーリングの後で、ＶＩＭから確認応答を受信し、ＶＮＦスケーリング動作が行われた後で、ＥＭがＶＮＦのオブジェクトを変更するとともに管理対象オブジェクトの変更をＮＭに通知することを可能にすることになる確認応答を、ＥＭに送信するための処理回路を備える。
【０１０３】
実例１５において、実例１４の主題は、任意に、ＶＮＦのオブジェクトが、ＰＣＲＦｕｎｃｔｉｏｎオブジェクト、ＳｅｒｖｉｎｇＧｗＦｕｎｃｔｉｏｎオブジェクト、又はＰＧＷＦｕｎｃｔｉｏｎオブジェクトのうちの少なくとも１つを含む、構成を含むことができる。
【０１０４】
実例１６は、命令を含む機械読み取り可能な媒体であって、命令は、ネットワーク機能仮想化（ＮＦＶ）ライフサイクル管理（ＬＣＭ）動作を促進するように動作可能なネットワーク機能仮想化オーケストレータ（ＮＦＶＯ）のプロセッサによって実行される場合に、ネットワークマネージャ（ＮＭ）からライフサイクル管理コマンド（ＬＣＭＣ）を受信してＬＣＭ動作を開始し、ＬＣＭＣに応答して、ＬＣＭ状態テーブルに少なくとも部分的に基づいて実行されるべきＬＣＭ動作を決定し、ＬＣＭ動作の実行後に移行するべきＬＣＭ状態を決定し、１つ若しくは複数の仮想化ネットワーク機能（ＶＮＦ）ソフトウェアイメージを、ＮＦＶインフラストラクチャ（ＮＦＶＩ）にアップロードするか、又はＮＦＶインフラストラクチャ（ＮＦＶＩ）から削除し、そしてＮＦＶＩにおいて、１つ若しくは複数の仮想マシン（ＶＭ）及び関連するネットワーキングリソースを作成するか又は削除するように、仮想化インフラストラクチャマネージャ（ＶＩＭ）に要求を送信し、所与のＶＮＦインスタンスに関する１つ若しくは複数の仮想化リソースの成功した割り当て又は削除の後で、ＶＩＭから確認応答を受信し、ＬＣＭ動作が完了した後で、ネットワークマネージャ（ＮＭ）に、ＮＭが１つ又は複数の構成管理（ＣＭ）動作を実行することを可能にする確認応答を送信するようにプロセッサを設定する。
【０１０５】
実例１７において、実例１６の主題は、任意に、ＬＣＭＣが、オンボードＶＮＦパッケージ、無効ＶＮＦパッケージ、有効ＶＮＦパッケージ、更新ＶＮＦパッケージ、クエリＶＮＦパッケージ、削除ＶＮＦパッケージ、ＶＮＦインスタンス化、ＶＮＦ終了、又はＶＮＦスケーリングのうちの少なくとも１つを含む、構成を含むことができる。
【０１０６】
実例１８において、実例１６から実例１７のいずれか１つの主題は、任意に、ＬＣＭ状態が、ＶＮＦパッケージ無効状態、ＶＮＦパッケージ有効状態、又はＶＮＦパッケージ削除保留状態のうちの少なくとも１つを含む、構成を含むことができる。
【０１０７】
実例１９において、実例１６から実例１８のいずれか１つの主題は、任意に、ＶＮＦパッケージがまだオンボードされていない場合に、処理回路が、１つ又は複数のＶＮＦソフトウェアイメージを含むオンボードＶＮＦパッケージコマンドをＮＭから受信し、ＶＮＦパッケージに応答して、１つ又は複数のＶＮＦソフトウェアイメージをＮＦＶＩにアップロードするように、ＶＩＭに要求し、ＮＦＶＩに対する１つ又は複数のＶＮＦソフトウェアイメージのアップロードの後で、ＭａｎａｇｅｄＥｌｅｍｅｎｔオブジェクトを作成するようにＮＭがエレメントマネージャ（ＥＭ）に要求することを可能にする確認応答を、ＮＭに送信し、ＬＣＭ状態をＶＮＦパッケージ無効状態に変更するようにＮＦＶＯを設定する、構成を含むことができる。
【０１０８】
実例２０において、実例１６から実例１９のいずれか１つの主題は、任意に、ＬＣＭがＶＮＦパッケージ無効状態にある場合に、処理回路が、ＮＭから有効ＶＮＦパッケージコマンドを受信し、カタログにおける有効にされたＶＮＦパッケージに印を付け、ＮＭに確認応答を送信してＶＮＦパッケージが有効であることを示し、ＬＣＭ状態をＶＮＦパッケージ有効状態に変更するようにＮＦＶＯを設定する、構成を含むことができる。
【０１０９】
実例２１において、実例１６から実例２０のいずれか１つの主題は、任意に、ＬＣＭがＶＮＦパッケージ有効状態にある場合に、処理回路が、ＮＭからＶＮＦインスタンス化コマンドを受信し、ＮＦＶＩにおいて、仮想マシン（ＶＭ）及び関連するネットワーキングリソースを作成して開始するように、ＶＩＭに要求し、ＶＮＦインスタンスＩＤによって識別されるＶＮＦインスタンスの成功したインスタンス化の後で、ＭａｎａｇｅｄＥｌｅｍｅｎｔオブジェクトの中に名前が含まれているＶＮＦオブジェクトを作成し、ＶＮＦオブジェクトにおける属性をＶＮＦインスタンスＩＤに初期化するようにＮＭがエレメントマネージャ（ＥＭ）に要求することを可能にする確認応答を、ＮＭに送信するようにＮＦＶＯを設定する、構成を含むことができる。
【０１１０】
実例２２において、実例１６から実例２１のいずれか１つの主題は、任意に、ＬＣＭがＶＮＦパッケージ有効状態にある場合に、処理回路が、ＮＭからＶＮＦ終了コマンドを受信して、ＶＮＦインスタンスＩＤによって識別される既存のＶＮＦインスタンスを終了し、ＮＦＶＩにおいて、１つ又は複数の仮想マシン（ＶＭ）及び関連するネットワーキングリソースを削除するように、ＶＩＭに要求し、成功したＶＮＦの終了後に、ＶＮＦを削除するようにＮＭがエレメントマネージャ（ＥＭ）に要求することを可能にすることになる確認応答を、ＮＭに送信するようにＮＦＶＯを設定する、構成を含むことができる。
【０１１１】
実例２３において、実例１６から実例２２のいずれか１つの主題は、任意に、ＬＣＭがＶＮＦパッケージ有効状態にあり、処理回路が、ＮＭから無効ＶＮＦパッケージコマンドを受信し、カタログにおける無効にされたＶＮＦパッケージに印を付け、ＮＭに確認応答を送信してＶＮＦパッケージが無効であることを示し、ＬＣＭ状態をＶＮＦパッケージ無効状態に変更するようにＮＦＶＯを設定する、構成を含むことができる。
【０１１２】
実例２４において、実例１６から実例２３のいずれか１つの主題は、任意に、ＬＣＭがＶＮＦパッケージ無効状態にあるとともに、ＶＮＦパッケージがあらゆるＶＮＦインスタンスによって使用されていない場合に、処理回路が、ＮＭから削除ＶＮＦパッケージコマンドを受信し、カタログにおけるＶＮＦパッケージを削除し、ＮＦＶＩにおいて、１つ又は複数のＶＮＦソフトウェアイメージを削除するように、ＶＩＭに要求を送信し、ＶＮＦソフトウェアイメージの成功した削除の後で、ＭａｎａｇｅｄＥｌｅｍｅｎｔオブジェクトを削除するようにＮＭがエレメントマネージャ（ＥＭ）に要求することを可能にする確認応答を、ＮＭに送信するようにＮＦＶＯを設定する、構成を含むことができる。
【０１１３】
実例２５において、実例１６から実例２４のいずれか１つの主題は、任意に、ＬＣＭがＶＮＦパッケージ無効状態にあるとともに、ＶＮＦパッケージが１つ又は複数のＶＮＦインスタンスによって使用されている場合に、処理回路が、ＮＭから削除ＶＮＦパッケージコマンドを受信し、カタログにおける削除保留中のＶＮＦパッケージに印を付け、ＮＭに確認応答を送信してＶＮＦパッケージが削除保留中であることを示し、ＬＣＭ状態をＶＮＦパッケージ削除保留状態に変更するようにＮＦＶＯを設定する、構成を含むことができる。
【０１１４】
実例２６において、実例１６から実例２５のいずれか１つの主題は、任意に、ＬＣＭがＶＮＦパッケージ無効状態にあるとともに、ＶＮＦパッケージが１つ又は複数のＶＮＦインスタンスによって使用されている場合に、処理回路が、ＮＭからＶＮＦ終了コマンドを受信し、ＮＦＶＩにおいて、１つ又は複数の仮想マシン（ＶＭ）及び関連するネットワーキングリソースを削除するように、ＶＩＭに要求し、成功したＶＮＦの終了後に、ＶＮＦを削除するようにＮＭがエレメントマネージャ（ＥＭ）に要求することを可能にすることになる確認応答を、ＮＭに送信するようにＮＦＶＯを設定する、構成を含むことができる。
【０１１５】
実例２７において、実例１６から実例２６のいずれか１つの主題は、任意に、ＬＣＭがＶＮＦパッケージ削除保留状態にあり、ＶＮＦパッケージが２つ以上のＶＮＦインスタンスによって使用されている場合に、処理回路が、ＮＭからＶＮＦ終了コマンドを受信し、ＮＦＶＩにおいて、１つ又は複数の仮想マシン（ＶＭ）及び関連するネットワーキングリソースを削除するように、ＶＩＭに要求し、成功したＶＮＦの終了後に、ＶＮＦを削除するようにＮＭがエレメントマネージャ（ＥＭ）に要求することを可能にすることになる確認応答を、ＮＭに送信するようにＮＦＶＯを設定する、構成を含むことができる。
【０１１６】
実例２８において、実例１６から実例２７のいずれか１つの主題は、任意に、ＬＣＭがＶＮＦパッケージ削除保留状態にあり、ＶＮＦパッケージが１つのＶＮＦインスタンスによって使用され、処理回路が、ＮＭからＶＮＦ終了コマンドを受信して、ＶＮＦパッケージを使用するＶＮＦインスタンスを終了し、カタログにおけるＶＮＦパッケージを削除し、ＮＦＶＩにおいて、仮想マシン（ＶＭ）、関連するネットワーキングリソース、及び１つ又は複数のＶＮＦソフトウェアイメージを削除するように、ＶＩＭに要求し、成功したＶＮＦの終了及びＶＮＦパッケージの削除後に、ＶＮＦ及びＭａｎａｇｅｄＥｌｅｍｅｎｔオブジェクトを削除するようにＮＭがエレメントマネージャ（ＥＭ）に要求することを可能にすることになる確認応答を、ＮＭに送信するようにＮＦＶＯを設定する、構成を含むことができる。
【０１１７】
様々な実例において、本明細書で論じられる動作は、ハードウェア（例えば、回路）、ソフトウェア、ファームウェア、マイクロコード、又はそれらの組み合わせとして実施されてもよく、例えば、本明細書で論じられる処理を実行するようにコンピュータをプログラムするために使用される命令（またはソフトウェア手順）が記憶された有形の（例えば、非一時的な）機械読み取り可能な媒体又はコンピュータ読み取り可能な媒体を含むコンピュータプログラム製品として提供され得る。また、用語“ロジック（logic：論理）”は、一例として、ソフトウェア、ハードウェア、又はソフトウェアとハードウェアとの組み合わせを含み得る。機械読み取り可能な媒体は、本明細書で論じられるような記憶装置を含むことができる。
【０１１８】
明細書中の“一例”又は“実例”への言及は、実例に関連して説明された特定の特徴、構造、又は特性が、少なくとも実装例に含まれ得ることを意味する。明細書の様々な場所における“一例において”という語句の出現は、全て同じ実例を参照している場合もあれば、そうでない場合もある。
【０１１９】
また、明細書及び請求項において、“結合される”及び“接続される”という用語は、それらの派生語と共に使用され得る。いくつかの例では、“接続される”は、２つ以上の要素が、お互いに、直接的な、物理的、又は電気的接触状態にあることを示すために使用され得る。“結合される”は、２つ以上の要素が、直接的な、物理的、又は電気的接触状態にあるということを示し得る。しかしながら、“結合される”は、同様に、２つ以上の要素が、互いに直接的な接触状態にないが、それでもやはり互いに協同するか、又は相互作用するということを意味し得る。
【０１２０】
このように、実例は、構造上の特徴及び／又は方法論的な活動に特有の言語で説明されているが、請求項の主題は、説明された特定の特徴又は活動に限定されない、ということが理解されるべきである。それどころか、特定の特徴又は活動は、権利請求された主題の範囲を実施することの実例形態として開示される。
【図１】
2018530183.tif 000005
【図２Ａ】
2018530183.tif 000006
【図２Ｂ】
2018530183.tif 000007
【図３】
2018530183.tif 000008
【図４】
2018530183.tif 000009
【図５】
2018530183.tif 000010
【図６】
2018530183.tif 000011
【図７】
2018530183.tif 000012
【図８】
2018530183.tif 000013
【図９】
2018530183.tif 000014
【図１０】
2018530183.tif 000015
【図１１】
2018530183.tif 000016
【図１２】
2018530183.tif 000017
【図１３】
2018530183.tif 000018
【国際調査報告】
2018530183.tif 000019
2018530183.tif 000020